(57)【特許請求の範囲】
【請求項１】
ユーザー端末の方法であって、
チャンネル状態情報（ＣＳＩ）プロセスに関連する構成情報を受信する段階と、
前記構成情報に基づいてチャンネル状態を測定する段階と、を含み、
前記ＣＳＩプロセスは、一つ以上の非ゼロ電力（ＮＺＰ）ＣＳＩ−ＲＳリソースに関連し、
ここで、
前記ユーザー端末は、一つ以上のＮＺＰ  ＣＳＩ−ＲＳリソースに基づいてＣＳＩにおけるチャンネル状態を測定するために、上位レイヤシグナリングを介して、前記一つ以上のＮＺＰ  ＣＳＩ−ＲＳリソースに対応する基準物理ダウンリンク共有チャンネル（Ｐｈｙｓｉｃａｌ    Ｄｏｗｎｌｉｎｋ    Ｓｈａｒｅｄ    Ｃｈａｎｎｅｌ：ＰＤＳＣＨ）送信電力を仮定し、
前記仮定された基準ＰＤＳＣＨ送信電力は、ＰＤＳＣＨのＲＥ当たりエネルギー（Ｅｎｅｒｇｙ  Ｐｅｒ  ＲＥ：ＥＰＲＥ）対ＮＺＰ  ＣＳＩ−ＲＳのＥＰＲＥの比率であるＰｃに基づく、
ことを特徴とする方法。
【請求項２】
ゼロ電力（ＺＰ）ＣＳＩ−干渉測定（ＩＭ）リソースに基づいて干渉を測定する段階をさらに含む
ことを特徴とする、請求項１に記載の方法。
【請求項３】
基地局からスケジューリング情報を受信する段階と、
前記スケジューリング情報に基づいてダウンリンクデータを受信する段階をさらに含む
ことを特徴とする、請求項１に記載の方法。
【請求項４】
前記測定する段階は、
２次元アンテナアレイの２個の次元に各々対応する軸ｘ及び軸ｙの各々に対して２次元アンテナアレイのチャンネル特性を測定する段階を含む
ことを特徴とする、請求項１に記載の方法。
【請求項５】
前記構成情報を受信する段階は、
前記軸ｘ及び軸ｙにおけるチャンネル特性が測定されるＮＺＰ  ＣＳＩ−ＲＳポートを通してＣＳＩ−ＲＳ信号を受信する段階を含み、
前記軸ｘ及び軸ｙにおけるチャンネル特性を測定するためのＮＺＰ  ＣＳＩ−ＲＳ信号は、前記軸ｘ及び軸ｙで共有アンテナユニットに対する一つのＮＺＰ  ＣＳＩ−ＲＳポートから受信され、他のアンテナユニットのチャンネル特性を測定するためのＮＺＰ  ＣＳＩ−ＲＳ信号は、前記共有アンテナユニットに対する他のＮＺＰ  ＣＳＩ−ＲＳポートから受信される
ことを特徴とする、請求項４に記載の方法。
【請求項６】
交差偏光された（ｃｒｏｓｓ−ｐｏｌａｒｉｚｅｄ）２次元アンテナアレイに含まれているアンテナユニットは、偏光方向によって２個のグループに分割され、
前記一つ以上のＮＺＰ  ＣＳＩ−ＲＳリソースの構成情報は、同一の偏光方向を有するアンテナユニットの各グループに対応するＮＺＰ  ＣＳＩ−ＲＳポートの構成情報を含み、
前記アンテナユニットの２個のグループは、同一の個数のＮＺＰ  ＣＳＩ−ＲＳポートで構成される
ことを特徴とする、請求項４に記載の方法。
【請求項７】
プリコーディング行列インジケータ（ＰＭＩ）及び前記ＰＭＩの各対（ｐａｉｒ）間の位相の情報を報告する段階をさらに含む
ことを特徴とする、請求項１に記載の方法。
【請求項８】
前記一つ以上のＮＺＰ  ＣＳＩ−ＲＳリソースに基づいて前記ＣＳＩに含まれるチャンネル状態を測定する場合、基地局により送信される上位レイヤシグナリングによって異なるＮＺＰ  ＣＳＩ−ＲＳリソースに対応するように基準物理ダウンリンク共有チャンネル（ＰＤＳＣＨ）送信電力を決定し、
異なるＮＺＰ  ＣＳＩ−ＲＳリソースは、同一の又は異なる基準ＰＤＳＣＨ送信電力を有する
ことを特徴とする、請求項１に記載の方法。
【請求項９】
前記構成情報は、Ｎ個のＮＺＰ  ＣＳＩ−ＲＳリソースの構成情報を含み、前記上位レイヤシグナリングは、各ＮＺＰ  ＣＳＩ−ＲＳリソースに対応する基準ＰＤＳＣＨ送信電力の仮定（ａｓｓｕｍｐｔｉｏｎ）Ｐｃ（ｋ）を含み、ｋは、各ＮＺＰ  ＣＳＩ−ＲＳ構成のインデックスであり、ｋ＝０，１，…，Ｎ−１であり、Ｎは２より大きい整数であり、
前記異なるＮＺＰ  ＣＳＩ−ＲＳリソースに対応するように基準ＰＤＳＣＨ送信電力を決定し、
ｋ番目のＮＺＰ  ＣＳＩ−ＲＳリソースによってＣＳＩを測定する場合に、Ｐｃ（ｋ）によって前記基準ＰＤＳＣＨ送信電力を決定する
ことを特徴とする、請求項８に記載の方法。
【請求項１０】
前記構成情報は、Ｎ個のＮＺＰ  ＣＳＩ−ＲＳリソースの構成情報を含み、前記上位レイヤシグナリングは、各ＮＺＰ  ＣＳＩ−ＲＳリソースに対応する基準ＰＤＳＣＨ送信電力の仮定（ａｓｓｕｍｐｔｉｏｎ）  Ｐｃ（ｋ）を含み、
上位レイヤシグナリングで仮定  Ｐｃ（ｋ）に基づいてＮ個のＮＺＰ  ＣＳＩ−ＲＳリソースに対応する基準ＰＤＳＣＨ送信電力を決定する
ことを特徴とする、請求項８に記載の方法。
【請求項１１】
前記基準ＰＤＳＣＨ送信電力の予め設定された仮定（ａｓｓｕｍｐｔｉｏｎ）によって前記ＮＺＰ  ＣＳＩ−ＲＳリソースの一部に対応するように基準ＰＤＳＣＨ送信電力を計算し、
チャンネル状態は、基準送信電力の仮定を使用せずに前記ＮＺＰ  ＣＳＩ−ＲＳリソースの一部に基づいて測定される
ことを特徴とする、請求項８に記載の方法。
【請求項１２】
前記スケジューリング情報は、前記ユーザー端末に割り当てられた復調基準信号（ＤＭＲＳ）ポートの情報と、データ送信レイヤの個数、及びＤＭＲＳにより実際に占有されるリソースエレメント（ＲＥ）集合の個数ＮＤＭＲＳを含み、
前記ユーザー端末が割り当てられたＤＭＲＳポート及びデータ送信レイヤの個数によってＤＭＲＳ信号を受信し、
ＤＭＲＳポート７乃至１０は、前記ＤＭＲＳ信号の多重ユーザー多重入力多重出力（ＭＵ−ＭＩＭＯ）送信をサポートするために使用され、
前記ＮＤＭＲＳが、前記ＤＭＲＳ信号がポート７のＲＥ集合を使用して送信される場合、前記ユーザー端末がポート９のＲＥ集合からＰＤＳＣＨを受信する
ことを特徴とする、請求項３に記載の方法。
【請求項１３】
前記スケジューリング情報は、前記ユーザー端末に割り当てられた復調基準信号（ＤＭＲＳ）ポートの情報及びデータ送信レイヤの個数を含み、
前記ユーザー端末は、ＤＭＲＳ信号の多重ユーザー多重入力多重出力（ＭＵ−ＭＩＭＯ）送信をサポートするために時間拡張されたウォルシュコードの長さを増加させ、
ＭＵ−ＭＩＭＯをサポートするＤＭＲＳポートのうちの最も良い直交性を有するＤＭＲＳポートは、前記ユーザー端末の異なるレイヤ又は異なるユーザー端末に割り当てられる
ことを特徴とする、請求項３に記載の方法。
【請求項１４】
データを処理するユーザー端末であって、
チャンネル状態情報（ＣＳＩ）プロセスに関連する構成情報を受信する構成シグナリング受信モジュールと、
前記構成情報に基づいてチャンネル状態を測定するＣＳＩ測定及び報告モジュールと、を含み、
前記ＣＳＩプロセスは、一つ以上の非ゼロ電力（ＮＺＰ）ＣＳＩ−ＲＳリソースに関連し、
前記ユーザー端末は、一つ以上のＮＺＰ  ＣＳＩ−ＲＳリソースに基づいてＣＳＩにおけるチャンネル状態を測定するための上位レイヤシグナリングを介して、前記一つ以上のＮＺＰ  ＣＳＩ−ＲＳリソースに対応する基準物理ダウンリンク共有チャンネル（Ｐｈｙｓｉｃａｌ    Ｄｏｗｎｌｉｎｋ    Ｓｈａｒｅｄ    Ｃｈａｎｎｅｌ：ＰＤＳＣＨ）送信電力を仮定し、
前記仮定された基準ＰＤＳＣＨ送信電力は、ＰＤＳＣＨのＲＥ当たりエネルギー（Ｅｎｅｒｇｙ  Ｐｅｒ  ＲＥ：ＥＰＲＥ）対ＮＺＰ  ＣＳＩ−ＲＳのＥＰＲＥの比率であるＰｃに基づく、
ことを特徴とするユーザー端末。
【請求項１５】
請求項２乃至請求項１３のうち何れか一項に記載の方法を実行する
ことを特徴とするユーザー端末。
【発明の詳細な説明】
【技術分野】
【０００１】
本発明は、無線通信システムに関するもので、特にチャンネル状態情報基準信号(ＣＳＩ-ＲＳ)を構成し、チャンネル状態情報(ＣＳＩ)を測定し、復調基準信号(ＤＭＲＳ)を構成する方法及び装置に関する。
【背景技術】
【０００２】
３ＧＰＰ(3rd  generation  project  partnership)ＬＴＥ(Long  Term  Evolution)システムにおいて、各無線フレームは１０ｍｓの長さを有し、１０個のサブフレームに同一に分割される。図１に示すように、一例として周波数分割複信(Frequency Division Duplexing：ＦＤＤ)システムを考慮する場合、各無線フレームは、１０ｍｓの長さを有し、１０個のサブフレームを含む。各サブフレームは、１ｍｓの長さを有し、２個の連続するタイムスロットで構成される。すなわち、ｋ番目のサブフレームは、タイムスロット２ｋ及びタイムスロット２ｋ＋１を含み、ｋ＝０，１，…，９である。各タイムスロットは、０.５ｍｓの長さを有する。ダウンリンク送信時区間(ＴＴＩ）は、サブフレームで定義される。
【０００３】
図２は、ＬＴＥシステムでダウンリンクサブフレームを示す概略図である。図２に示すように、先行するｎ個の直交周波数分割多重化(Orthogonal  FreqＵＥncy  Division  Multplexing：ＯＦＤＭ)シンボル(ｎは１，２，又は３)はユーザーのダウンリンク制御情報を伝送するためのダウンリンク制御チャンネル領域である。ダウンリンク制御チャンネルは、物理制御フォーマットインジケータチャンネル(Physical  Control  Format  Indicator  Channel：ＰＣＦＩＣＨ)、物理ハイブリッド自動再送要求(ＨＡＲＱ)インジケータチャンネル(Physical  HARQ  Indicator  Channel：ＰＨＩＣＨ)、及び物理ダウンリンク制御チャンネル(ＰＤＣＣＨ）を含む。残りのＯＦＤＭシンボルは、物理ダウンリンク共有チャンネル(Physical  Downlink  Shared  Channel：ＰＤＳＣＨ)及び向上したＰＤＣＣＨ(ＥＰＤＣＣＨ)を伝送するために使用される。ダウンリンク物理チャンネルは、リソースエレメントの集合(collection)である。リソースエレメント(ＲＥ)は、時間/周波数リソースの最小ユニットである。ＲＥは、周波数ドメインでサブキャリアであり、時間ドメインではＯＦＤＭシンボルである。物理リソース割り当ての粒度(granularity）は、物理リソースブロック(ＰＲＢ)である。ＰＲＢは、周波数ドメインで１２個の連続するサブキャリアを含み、時間ドメインでタイムスロットに対応する。サブフレームの同一のサブキャリアで２個のタイムスロット内の２個のＰＲＢは、ＰＲＢ対(pair)と称される。異なるＲＥは、異なる用途、例えばセル特定基準信号(Cell-specific  Reference  Signal：ＣＲＳ）、ユーザー特定ＤＭＲＳ、及びチャンネル状態情報基準信号(Channel  State  Information  Reference  Signal：ＣＳＩ-ＲＳ）を有する。サブフレームにおいて、最大４０個のＲＥは、ＣＳＩ-ＲＳの送信に使用され、基地局は、ＲＥのうち一部又は全部をＣＳＩ-ＲＳ送信のために使用されるように構成できる。
【０００４】
ＣＳＩ-ＲＳポートの個数は、基地局により配置されるアンテナの個数に従って１，２，４，又は８となるように構成される。図３に示すように、１個又は２個のＣＳＩ-ＲＳポートが構成される場合、ＣＳＩ-ＲＳは、２個の隣接したＯＦＤＭシンボルの同一のサブキャリアで２個のＲＥで伝送される。４個のＣＳＩ-ＲＳポートが構成される場合、ＣＳＩ-ＲＳは、２個の隣接したＯＦＤＭシンボル及び２個のサブキャリアに位置する４個のＲＥで伝送される。８個のＣＳＩ-ＲＳポートが構成される場合、ＣＳＩ-ＲＳは、２個の隣接したＯＦＤＭシンボルの４個のサブキャリアにマッピングされる８個のＲＥで伝送される。
【０００５】
特定される必要のある情報は、ＣＳＩ-ＲＳリソースがマッピングされる時間/周波数リソースを識別するために周期性(periodicity）と、サブフレームでＣＳＩ-ＲＳ及びＲＥのサブフレームオフセットを含むことができる。＜表１＞に示すように、ＣＳＩ-ＲＳサブフレーム構成は、ＣＳＩ-ＲＳにより占められるサブフレームでの位置を識別するために、すなわちＣＳＩ-ＲＳの周期性ＴＣＳＩ-ＲＳ及びサブフレームオフセットΔＣＳＩ-ＲＳを指示するために使用される。特に、ＣＳＩ-ＲＳ送信のためのサブフレームは
【０００６】
【数１】
0006619363.tif 000002
【０００７】
を満たす。ここで、ｎｆはシステムフレーム番号であり、ｎＳはフレームでタイムスロットＩＤである。
【０００８】
【表１】
0006619363.tif 000003
【０００９】
＜表２＞は、各ＣＳＩ  ＲＳ構成がマッピングされるＲＡＥを示す。ＰＲＢ対で、ＣＳＩ  ＲＳ構成でＣＳＩ  ＲＳポート１５に対応するＲＥは、ＣＳＩ  ＲＳポートの個数に従って２タプル(tuple) (ｋ’,ｌ’)により決定され、ｋ’はＰＲＢでのサブキャリアインデックスであり、ｌ’はタイムスロットでのＯＦＤＭシンボルのインデックスである。
【００１０】
ＬＴＥ規格によると、１個又は２個のＣＳＩ-ＲＳポートが構成される場合、各アンテナがＯＦＤＭシンボルですべてのＲＥでダウンリンク信号を送信できるため、ＣＳＩ-ＲＳ  ＲＥの電力は正規化される(normalized）と見なされる。４個のＣＳＩ-ＲＳポートが構成される場合、先行する２個のＣＳＩ-ＲＳポート及び最後の２個のＣＳＩ-ＲＳポートは、各々異なるサブキャリアで送信され、これは、各ＣＳＩ-ＲＳポートの電力が２倍になるようにする。すなわち、各ＣＳＩ-ＲＳポートの電力が３ｄＢだけ増加されるようにする。８個のＣＳＩ-ＲＳポートが構成される場合、毎２個のＣＳＩ-ＲＳポートは１個のサブキャリアを占有し、他のＣＳＩ-ＲＳポートのサブキャリアではいかなる信号も送信せず、それによって各ＣＳＩ-ＲＳポートの電力は４倍となり、すなわち各ＣＳＩ-ＲＳポートの電力は６ｄＢだけ増加される。
【００１１】
上記したＣＳＩ-ＲＳ構成に基づき、従来のＬＴＥシステムは、８個のアンテナポートを用いてダウンリンクデータ送信をサポートできる。図４に示すように、アンテナは、一般的に水平方向に１次元アンテナアレイとして配置され、ビームフォーミングを通じて異なる水平角度に向かうようになる。端末は、垂直方向に異なる位置に位置し、基地局と異なる距離に存在し、それによって異なる水平角度に対応することができる。その次の向上したＬＴＥシステムにおいて、各セルは、１６，３２，６４又はそれ以上の送信アンテナで構成されて空間多重化の利得を使用し、セルスループットを増加させ、ユーザー間の干渉を減少させ得る。図５に示すように、垂直方向のビームフォーミング及び水平方向のビームフォーミングは、２次元アンテナアレイに適用されて異なる垂直方向の角度に対応する端末間及び異なる水平方向の角度に対応する端末間の干渉を一層減少させ得る。
【００１２】
このように、セルスループットは、図６に示すように一層増加する。
【００１３】
８個より多い物理アンテナ、例えば図５に示すように２次元アンテナアレイで構成されているシステムに対して、多重ユーザー多重入力多重出力(Multi-User  Multiple  Input  Multiple  Output：ＭＵ-ＭＩＭＯ)送信及びＣＳＩ測定及びフィードバックをプロセッシングする適合した方法が必要である。より多くの物理アンテナが構成されるほど、より狭いビームが生成され、より多くのユーザー端末(ＵＥ)がＭＵ-ＭＩＭＯ技術を使用して多重化できる。解決すべき問題点は、ＭＵ-ＭＩＭＯをよくサポートするためにＤＭＲＳを設計する方法である。各物理送信アンテナがＣＳＩ測定のためにＣＳＩ-ＲＳポートで構成される場合、非常に大きいＣＳＩ-ＲＳオーバーヘッドが生成される可能性がある。解決しなければならない問題点は、ＣＳＩ-ＲＳにより占められるリソースを減少させる方法である。したがって、ＵＥは、構成されるＣＳＩ-ＲＳにより無線チャンネルの状態を測定し、ＣＳＩをフィードバックできる。ＣＳＩ情報は、ランクインジケータ(Rank  Indicator：ＲＩ)、チャンネル品質インジケータ(Channel  Quality  Indicator：ＣＱＩ)、プリコーディング行列インジケータ(Pre-coding  Matrix  indicator：ＰＭＩ)を含む。もう一つの解決すべき問題点は、使用されたＣＳＩ-ＲＳ構成に基づいてＣＳＩを測定及びフィードバックする方法である。
【００１４】
【表２】
0006619363.tif 000004
【発明の概要】
【発明が解決しようとする課題】
【００１５】
したがって、本発明は上記した従来技術の問題点に鑑みてなされたものであって、その目的は、無線通信システムに関して、特にＣＳＩ-ＲＳを構成し、ＣＳＩを測定し、ＤＭＲＳを構成する方法及び装置を提供することにある。
【００１６】
上記の情報は、本発明の理解を助けるために背景情報のみとして提示される。これらが本発明に対して従来技術として適用できるか否かに関しては何の決定及び断言も下されていない。
【課題を解決するための手段】
【００１７】
上記のような目的を達成するために、本発明の一態様によれば、ユーザー端末(ＵＥ)により、基地局からチャンネル状態情報基準信号(ＣＳＩ-ＲＳ)に対する構成シグナリングを受信し、構成シグナリングによりチャンネル状態情報(ＣＳＩ)を測定及び報告するステップと、ＵＥにより、基地局からスケジューリングシグナリングを受信し、スケジューリングシグナリングによりダウンリンクデータを受信するステップとを有する。
【００１８】
一実施形態では、構成シグナリングは、少なくとも２個の非ゼロ電力(ＮＺＰ)ＣＳＩ-ＲＳリソースの構成情報又は少なくとも２個のＮＺＰ  ＣＳＩ-ＲＳリソースの構成情報を特定するための結合されたＮＺＰ  ＣＳＩ-ＲＳの構成情報を含み、ＵＥにより構成シグナリングによりＣＳＩを測定するステップは、ＵＥにより、少なくとも２個のＮＺＰ  ＣＳＩ-ＲＳリソースの構成情報に従って少なくとも２個のＮＺＰ  ＣＳＩ-ＲＳ信号を受信し、ＣＳＩを測定するステップを有する。
【００１９】
一実施形態では、少なくとも２個のＮＺＰ  ＣＳＩ-ＲＳリソースの構成情報は、軸ｘ及び軸ｙで各々２次元アンテナアレイのチャンネル特性を測定するための少なくとも２個のＮＺＰ  ＣＳＩ-ＲＳリソースの構成情報を含み、軸ｘ及び軸ｙは、各々２次元アンテナアレイの２個の次元に対応する方向である。
【００２０】
一実施形態では、ＵＥにより、ＮＺＰ  ＣＳＩ-ＲＳ信号を受信するステップは、ＵＥにより軸ｘ及び軸ｙでのチャンネル特性が測定されるＮＺＰ  ＣＳＩ-ＲＳポートを介してＣＳＩ-ＲＳ信号を受信するステップを有し、軸ｘ及び軸ｙでのチャンネル特性を測定するためのＮＺＰ  ＣＳＩ-ＲＳ信号は、軸ｘ及び軸ｙで共有アンテナユニットに対する１個のＮＺＰ  ＣＳＩ-ＲＳポートから受信され、他のアンテナユニットのチャンネル特性を測定するためのＮＺＰ  ＣＳＩ-ＲＳ信号は、共有アンテナユニットに対する他のＮＺＰ  ＣＳＩ-ＲＳポートから受信される。
【００２１】
一実施形態では、交差偏光された(cross-polarized)２次元アンテナアレイで、構成されるＮＺＰ  ＣＳＩ-ＲＳポートが他の偏光された方向での構成されたＮＺＰ  ＣＳＩ-ＲＳポートより少ない偏光方向で他のアンテナユニットのチャンネル特性を測定するためのＮＺＰ  ＣＳＩ-ＲＳS信号は、共有アンテナユニットの他のＮＺＰ  ＣＳＩ-ＲＳポートで受信される。
【００２２】
一実施形態では、交差偏光された２次元アンテナアレイのアンテナユニットは、偏光方向に従って２個のグループに分割され、少なくとも２個のＮＺＰ  ＣＳＩ-ＲＳリソースの構成情報は、同一の偏光方向を有するアンテナユニットの各グループに対応するＮＺＰ  ＣＳＩ-ＲＳポートの構成情報を含み、アンテナユニットの２個のグループは同一の個数のＮＺＰ  ＣＳＩ-ＲＳポートで構成される。
【００２３】
一実施形態では、ＣＳＩプロセスの構成情報は、ＣＳＩ-干渉測定(ＩＭ)リソースとして動作する１個又は２個のゼロ電力(ＺＰ)ＣＳＩ-ＲＳリソースの構成情報を含み、ＵＥは、ＣＳＩを測定する場合、ＵＥにより、１個又は２個のＺＰ  ＣＳＩ-ＲＳリソースの構成情報により干渉を測定するステップを有する。
【００２４】
一実施形態では、少なくとも２個のＮＺＰ  ＣＳＩ-ＲＳリソースの構成情報に対して、ＵＥは、少なくとも２個のＮＺＰ  ＣＳＩ-ＲＳリソースを各々測定し、プリコーディング行列インジケータ(ＰＭＩ)及びＰＭＩの各対間の位相の情報を報告する。
【００２５】
一実施形態では、構成シグナリングで少なくとも２個のＮＺＰ  ＣＳＩ-ＲＳリソースに対して、異なるＮＺＰ  ＣＳＩ-ＲＳリソースは同一の又は異なるＥＰＲＥを有する。
【００２６】
一実施形態では、ＵＥは、少なくとも２個のＮＺＰ  ＣＳＩ-ＲＳリソースによりＣＳＩのチャンネル状態を測定する場合、基地局により送信される上位レイヤシグナリングにより異なるＮＺＰ  ＣＳＩ-ＲＳリソースに対応する基準物理ダウンリンク共有チャンネル(ＰＤＳＣＨ)送信電力を決定し、異なるＮＺＰ  ＣＳＩ-ＲＳリソースは、同一の又は異なる基準ＰＤＳＣＨ送信電力を有する。
【００２７】
一実施形態では、構成シグナリングは、Ｎ個のＮＺＰ  ＣＳＩ-ＲＳリソースの構成情報を含み、上位レイヤシグナリングは、各ＮＺＰ  ＣＳＩ-ＲＳリソースに対応する基準ＰＤＳＣＨ送信電力の仮定Ｐc(k)を含み、ｋは、各ＮＺＰ  ＣＳＩ-ＲＳ構成のインデックスであり、ｋ＝０，１，…，Ｎ-１であり、Ｎは２より大きい整数であり、ＵＥにより異なるＮＺＰ  ＣＳＩ-ＲＳリソースに対応する基準ＰＤＳＣＨ送信電力を決定するステップは、ＵＥにより、ｋ番目のＮＺＰ  ＣＳＩ-ＲＳリソースによりＣＳＩを測定する場合にＰc(k)により基準ＰＤＳＣＨ送信電力を決定するステップを有する。
【００２８】
一実施形態では、構成シグナリングは、Ｎ個のＮＺＰ  ＣＳＩ-ＲＳリソースの構成情報を含み、上位レイヤシグナリングは、Ｎ個のＮＺＰ  ＣＳＩ-ＲＳリソース全部に対して構成される基準ＰＤＳＣＨ送信電力の仮定ＰＣを含む。
【００２９】
ＵＥが異なるＮＺＰ  ＣＳＩ-ＲＳに対応する基準ＰＤＳＣＨ送信電力を決定するステップは、ＵＥにより、基準ＮＺＰ  ＣＳＩ-ＲＳに対応するＰc(k)及び異なるＮＺＰ  ＣＳＩ-ＲＳのポートの個数間の差に従って基準ＮＺＰ  ＣＳＩ-ＲＳリソース以外の他のＮＺＰ  ＣＳＩ-ＲＳリソースに対応するＰＣを計算するステップと、Ｐc(k)により基準ＰＤＳＣＨ送信電力を決定するステップとを有する。
【００３０】
基準ＮＺＰ  ＣＳＩ-ＲＳリソースは、少なくとも２個のＮＺＰ  ＣＳＩ-ＲＳリソースのうちいずれか一つであり、ｋは基準ＮＺＰ  ＣＳＩ-ＲＳリソース以外のＮＺＰ  ＣＳＩ-ＲＳリソースのインデックスであり、ｋ＝０，１，…，Ｎ-１であり、Ｎは２より大きい整数である。
【００３１】
一実施形態では、構成シグナリングはＮ個のＮＺＰ  ＣＳＩ-ＲＳリソースの構成情報を含み、上位レイヤシグナリングは、基準ＮＺＰ  ＣＳＩ-ＲＳリソースに対応する基準ＰＤＳＣＨ送信電力の仮定(assumption)ＰＣを含む。
【００３２】
上記ＵＥにより異なるＮＺＰ  ＣＳＩ-ＲＳリソースに対応する基準ＰＤＳＣＨ送信電力を決定するステップは、ＵＥにより、基準ＮＺＰ  ＣＳＩ-ＲＳリソースに対応するＰＣに従って基準ＮＺＰ  ＣＳＩ-ＲＳに対応する基準ＰＤＳＣＨ送信電力を計算するステップと、チャンネル状態が各ＮＺＰ  ＣＳＩ-ＲＳに基づいて測定される場合、基準ＰＤＳＣＨ送信電力が同一に残っていると判定するステップとを有し、ここで、Ｎは２以上の整数である。
【００３３】
一実施形態では、ＵＥにより基準ＮＺＰ  ＣＳＩ-ＲＳリソース以外の異なるＮＺＰ  ＣＳＩ-ＲＳリソースに対応する基準ＰＤＳＣＨ送信電力を決定するステップは、ＵＥにより異なるＮＺＰ  ＣＳＩ-ＲＳのポート個数間の差及び基準ＮＺＰ  ＣＳＩ-ＲＳリソースに対応するＰＣに従って基準ＮＺＰ  ＣＳＩ-ＲＳリソース以外のＮＺＰ  ＣＳＩ-ＲＳリソースに対応するＰc(k)を計算するステップを有する。
【００３４】
一実施形態では、基準ＮＺＰ  ＣＳＩ-ＲＳリソース以外の第１のＮＺＰ  ＣＳＩ-ＲＳリソースに対応するＰc(k)を計算するステップは、次の式を含む。
【００３５】
【数２】
0006619363.tif 000005
【００３６】
ここで、Ｐ０は、基準ＮＺＰ  ＣＳＩ-ＲＳリソースのポート個数であり、Ｐｋは、他のＮＺＰ  ＣＳＩ-ＲＳリソースのポート個数である。
【００３７】
一実施形態では、構成シグナリングは、Ｎ個のＮＺＰ  ＣＳＩ-ＲＳリソースの構成情報を含み、上位レイヤシグナリングは、Ｎ個のＮＺＰ  ＣＳＩ-ＲＳリソース全部に対応する基準ＰＤＳＣＨ送信電力の仮定ＰＣを含み、ＵＥは、上位レイヤシグナリングのＰＣによりＮ個のＮＺＰ  ＣＳＩ-ＲＳリソースに対応する基準ＰＤＳＣＨ送信電力を決定する。
【００３８】
一実施形態では、構成シグナリングは、Ｎ個のＮＺＰ  ＣＳＩ-ＲＳリソースの構成情報を含み、ＵＥは、基準ＰＤＳＣＨ送信電力の予め設定された仮定に従ってＮＺＰ  ＣＳＩ-ＲＳリソースの一部に対応する基準ＰＤＳＣＨ送信電力を計算し、あるいは、チャンネル状態は、基準送信電力の仮定を使用せずにＮＺＰ  ＣＳＩ-ＲＳリソースの一部に基づいて測定される。
【００３９】
一実施形態では、スケジューリングシグナリングは、ＵＥに割り当てられた復調基準信号(ＤＭＲＳ）ポートの情報、データ送信レイヤの個数、及びＤＭＲＳにより実際に占められるリソースエレメント(ＲＥ)集合の個数ＮＤＭＲＳを含む。
【００４０】
一実施形態では、ＵＥによりダウンリンクデータを受信するステップは、割り当てられたＤＭＲＳポート及びデータ送信レイヤの個数に従ってＤＭＲＳ信号を受信するステップを有し、ＤＭＲＳポート７-１０は、ＤＭＲＳ信号のマルチユーザー多重入力多重出力(ＭＵ-ＭＩＭＯ)送信をサポートするために使用され、方法は、ＮＤＭＲＳがＤＭＲＳ信号がポート７のＲＥ集合を用いて送信されることを示す場合、ＵＥにより、ポート９のＲＥ集合からＰＤＳＣＨを受信するステップをさらに有する。
【００４１】
一実施形態では、信号コードワードが送信される場合、あるいは初期送信で２個のレイヤを占有するコードワードが再送信される場合、ＵＥに割り当てられたＤＭＲＳポートの情報は、ＤＭＲＳがポート７のＲＥ集合、又はポート７及びポート９両方とものＲＥ集合のみで送信されることを特定し、２個のコードワードが送信される場合、ＵＥに割り当てられたデータ送信レイヤの個数が２である場合、ＤＭＲＳが１個のＲＥ集合を占有する場合、ＵＥに割り当てられたＤＭＲＳポートの情報は、ポート７及びポート８のＲＥ集合で送信され、ＤＭＲＳが２個のＲＥ集合を占有する場合、ＵＥに割り当てられたＤＭＲＳポートの情報は、ＤＭＲＳがポート７及びポート８のＲＥ集合で送信され、あるいはポート９及びポート１０のＲＥ集合で送信されることを特定する。
【００４２】
一実施形態では、スケジューリングシグナリングは、ＵＥに割り当てられたＤＭＲＳポートの情報及びデータ送信レイヤの個数を含み、方法は、ＤＭＲＳ信号のＭＵ-ＭＩＭＯ送信をサポートするために時間拡張されたウォルシュコードの長さを増加させるステップをさらに有し、ＭＵ-ＭＩＭＯをサポートするＤＭＲＳポートの全部のうち最も良い直交性を有するＤＭＲＳポートは、ＵＥの異なるレイヤ又は異なるＵＥに割り当てられる。
【００４３】
一実施形態では、単一コードワード送信、２個のレイヤを使用する初期送信、あるいは初期送信で２個のレイヤを占有するコードワードの再送信に対して、スケジューリングシグナリングは、ＵＥに割り当てられたＤＭＲＳポートの時間拡張コードの長さを含むことができる。
【００４４】
データ送信装置は、構成シグナリング受信モジュール、ＣＳＩ測定及び報告モジュール、スケジューリングシグナリング受信モジュール、及びダウンリンクデータ受信モジュールを含むことができる。
【００４５】
構成シグナリング受信モジュールは、基地局により送信されるＣＳＩ-ＲＳに対する構成シグナリングを受信するように構成され、ＣＳＩ測定及び報告モジュールは、ＣＳＩ-ＲＳに対する構成シグナリングによりＣＳＩを測定及び報告するように構成され、スケジューリングシグナリング受信モジュールは、基地局により送信されるスケジューリングシグナリングを受信するように構成され、ダウンリンクデータ受信モジュールは、スケジューリングシグナリングによりダウンリンクデータを受信するように構成される。
【００４６】
上記方法は、ＣＳＩ-ＲＳオーバーヘッドが減少する場合にＣＳＩを測定及びフィードバックする方法を提供する。この方法は、フレキシブルな方式でＤＭＲＳポートを構成できる。したがって、ＭＵ-ＭＩＭＯの性能が最適化できる。
【００４７】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定されない含有(inclusion)を意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に接続する（interconnect with）”、“包含する（contain）”、“包含される（be contained within）”、“接続する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。制御部は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００４８】
本発明による実施形態の他の態様、特徴、及び利点は、添付の図面と共に述べる以下の詳細な説明から、一層明らかになるはずである。また、図面中、同一の参照符号は、同一であるか又は類似した構成要素を示す。
【図面の簡単な説明】
【００４９】
【図１】ＬＴＥ  ＦＤＤフレームを示す概略図である。
【図２】サブフレームを示す概略図である。
【図３】ＣＳＩ-ＲＳを示す概略図である。
【図４】アンテナアレイを示す概略図である。
【図５】２次元アンテナアレイを示す概略図である。
【図６】ビームフォーミングを示す概略図である。
【図７】本発明の一実施形態による方法を示すフローチャートである。
【図８】第１のＣＳＩ-ＲＳ構成を示す概略図である。
【図９】第２のＣＳＩ-ＲＳ構成を示す概略図である。
【図１０】第３のＣＳＩ-ＲＳ構成を示す概略図である。
【図１１】第４のＣＳＩ-ＲＳ構成を示す概略図である。
【図１２】第５のＣＳＩ-ＲＳ構成を示す概略図である。
【図１３】第６のＣＳＩ-ＲＳ構成示す概略図である。
【図１４】ＤＭＲＳを示す概略図である。
【図１５】本発明の一実施形態によるデータ送信装置のモジュールを示す概略図である。
【図１６】第７のＣＳＩ-ＲＳ構成を示す概略図である。
【発明を実施するための形態】
【００５０】
以下、本発明の望ましい実施形態を添付の図面を参照して詳細に説明する。
【００５１】
添付の図面を参照した下記の説明は、特許請求の範囲の記載及びこれと均等なもの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００５２】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００５３】
本願明細書に記載の各要素は、文脈中に特に明示しない限り、複数形を含むことは、当業者には理解できるものである。したがって、例えば、“コンポーネント表面（a component surface）”との記載は、１つ又は複数の表面を含む。
【００５４】
‘第１’、‘第２’のように序数を含む用語は多様な構成要素を説明するために使用されるが、構成要素は、上記用語により限定されない。これらの用語は、一つの構成要素を他の構成要素から区別する目的のみで使われる。例えば、本発明の権利範囲を外れることなく、第１の構成要素は第２の構成要素と称され、同様に第２の構成要素も第１の構成要素と称され得る。‘及び／又は’という用語は、複数の関連した記載項目の組合せ又は複数の関連した記載項目のうちいずれかの項目を含む。
【００５５】
単数形が、コンテキスト中に特記して明示されない限り、複数形を含むことは、当業者には容易に分かることであろう。また、‘含む’又は‘有する’などの用語は、明細書上に記載された特徴、数字、段階、動作、構成要素、部品又はこれらの組合せが存在することを指定しようとするものであって、一つ又はそれ以上の他の特徴、数字、段階、動作、構成要素、部品、若しくはこれらの組合せが、存在する或いは付加される可能性を予め排除しないことが理解されなければならない。
【００５６】
また、別に定義されない限り、ここで使用される技術的及び科学的な用語を含むすべての用語は、本発明が属する技術分野で通常の知識を持った者には一般的に理解される意味と同一の意味を有する。一般的に使用される辞典で定義されるような用語は、関連技術の文脈上有する意味と一致する意味を有すると解析されなければならなく、ここで明白に定義されない限り、理想的又は過度に形式的な意味で解析されない。
【００５７】
本発明の多様な実施形態によると、電子デバイスは、通信機能を含むことができる。例えば、電子デバイスは、スマートフォン、パーソナルコンピュータ(ＰＣ)、携帯電話、テレビ電話、電子書籍リーダ、デスクトップＰＣ、ラップトップＰＣ、ネットブックＰＣ、ＰＤＡ(Personal Digital Assistant)、ＰＭＰ(Portable Multimedia Player)、ｍｐ３プレーヤー、モバイル医療デバイス、カメラ、ウェアラブルデバイス(例えば、ＨＭＤ(Head-Mounted  Device)、電気衣類、電子ブレース(electronic brace)、電子ネックレス、電子アクセサリ、電子タトゥー、又はスマート時計)であってもよい。
【００５８】
本発明の実施形態によると、電子デバイスは、通信機能を有するスマート家電であってもよい。スマート家電は、例えばテレビジョン、ＤＶＤ(Digital Video Disk)プレーヤー、オーディオ、冷蔵庫、エアコン、電気掃除機、オーブン、電子レンジ、洗濯機、ドライヤー、空気清浄器、セットトップボックス、ＴＶボックス(例えば、Ｓａｍｓｕｎｇ  ＨｏｍｅＳｙｎｃＴＭ、Ａｐｐｌｅ  ＴＶＴＭ、又はＧｏｏｇｌｅ  ＴＶＴＭ)、ゲーム機、電子辞書、電子キー、カムコーダ、電子ピクチャーフレームであってもよい。
【００５９】
本発明の実施形態によると、電子デバイスは、医療機器(例えば、ＭＲＡ(Magnetic Resonance Antiography)装置、ＭＲＩ(Magnetic Resonance Imaging)装置、ＣＴ(Computed Tomography)機器、映像機器、又は超音波装置)、ナビゲーション機器、ＧＰＳ(Global Positioning System)受信器、イベントデータレコーダ(Event Data Recorder：ＥＤＲ)、フライトデータレコーダ(Flight Data Recorder：ＦＤＲ)、自動車用インフォテインメント装置、海軍電子装置(例えば、海軍ナビゲーション装置、ジャイロスコープ、又はコンパス)、航空電子機器、セキュリティ機器、産業又は個人用ロボットであってもよい。
【００６０】
本発明の実施形態によると、電子デバイスは、通信機能を有する家具、ビル/構造の一部、電子ボード、電子署名受信器、プロジェクタ、多様な測定装置(例えば、水、電気、ガス、又は電磁波測定装置)であってもよい。
【００６１】
本発明の実施形態によると、電子デバイスは、上記した装置の組み合わせであってもよい。また、本発明の実施形態による電子デバイスは、上記装置に制限されるものではないことは、当該技術分野における通常の知識を持つ者には明らかである。
【００６２】
一方、本発明の多様な実施形態で提案する方法及び装置は、ＬＴＥ(Long-Term  Evolution)移動通信システム、ＬＴＥ-Ａ(Long-Term  Evolution-Advanced)移動通信システム、高速ダウンリンクパケットアクセス(High  Speed  Downlink  Packet  Access：ＨＳＤＰＡ)移動通信システム、高速アップリンクパケットアクセス(High  Speed  Uplink  Packet  Access：ＨＳＵＰＡ)移動通信システム、３ＧＰＰ２(3rd  Generation  Project  Partnership  2）の高速レートパケットデータ(ＨＲＰＤ)移動通信システム、３ＧＰＰ２の広帯域符号分割多重アクセス(ＷＣＤＭＡ(登録商標))移動通信システム、３ＧＰＰ２の符号分割多重アクセス(ＣＤＭＡ)移動通信システム、ＩＥＥＥ(Institute  of  Electrical  and  Electronics  Engineers)８０２.１６ｍ通信システム、ＩＥＥＥ８０２.１１通信システム、進化したパケットシステム(Evolved  Packet  System：ＥＰＳ）、モバイルインターネットプロトコル(Ｍｏｂｉｌｅ  ＩＰ)システム、無線ＵＳＢ(Wireless  Universal  Serial  Bus)システムのような多様な移動通信システムに適用され得る。
【００６３】
基地局で構成される送信アンテナの個数が、例えば１６、３２、６４、又はそれ以上の送信アンテナをサポートする２次元アンテナアレイを用いて増加する場合、基準信号の設計を変更することが必要である。解決方案は、ＣＳＩフィードバックの要求事項を満たすことが保証される限り、ＣＳＩ-ＲＳのオーバーヘッドを減少させることである。もう一つの解決方案は、ＤＭＲＳがＭＵ-ＭＩＭＯ送信をより良くサポートすることである。図７は、本発明の実施形態に他の方法を示す概略図である。上記方法は、次のような手順を含むことができる。
【００６４】
ステップ７０１において、ＵＥは、基地局からＣＳＩ-ＲＳに対する構成シグナリングを受信し、ＣＳＩ-ＲＳ構成シグナリングによりＣＳＩを測定及び報告する。
ＵＥにより受信される構成シグナリングは、ＣＳＩプロセスの構成情報、例えば、チャンネル特性を測定するためのＮＺＰ  ＣＳＩ-ＲＳの構成情報、干渉を測定するためのＣＳＩ-ＩＭリソースの構成情報を含むことができる。ＣＳＩ-ＩＭリソースの構成は、ＺＰ  ＣＳＩ-ＲＳを構成することによって実現される。一実施形態では、ＣＳＩプロセスの構成情報は、少なくとも２個のＮＺＰ  ＣＳＩ-ＲＳの構成情報を含むことができる。
【００６５】
比較的多くの物理アンテナユニットで構成されるシステムにおいて、ＮＺＰ  ＣＳＩ-ＲＳを用いてチャンネルを測定するために、ＵＥは、複数のＮＺＰ  ＣＳＩ-ＲＳを受信するように構成され得る。各ＮＺＰ  ＣＳＩ-ＲＳは、マルチアンテナシステムの特性のうち一部を測定するために使用できる。したがって、複数のＮＺＰ  ＣＳＩ-ＲＳの測定結果が結合されて完全なＣＳＩ情報を獲得できる。一例として２次元アンテナアレイを考慮する場合、１個のＮＺＰ  ＣＳＩ-ＲＳに対して構成されるリソースは、水平方向にアンテナアレイの特性を測定するために使用され、一方で他のＮＺＰ  ＣＳＩ-ＲＳに対して構成されるリソースは、垂直方向にアンテナアレイの特性を測定するために使用され、水平方向での特性及び垂直方向での特性が結合されて完全なＣＳＩ情報を生成できる。各ＮＺＰ  ＣＳＩ-ＲＳの構成情報は、ＬＴＥ  Ｒｅｌｅａｓｅ１０で定義されている方法を使用して周期性、サブフレームオフセット及びサブフレームで占められるＲＥを特定できる。すなわち、ＮＺＰ  ＣＳＩ-ＲＳは、最大８個のＣＳＩ-ＲＳポートをサポートする。あるいは、各ＮＺＰ  ＣＳＩ-ＲＳの構成情報は、８個以上のＣＳＩ-ＲＳポートのＣＳＩ-ＲＳリソースを含むことができ、この場合、ＲＥマッピング方式に対する修正が必要である。
【００６６】
シグナリングメカニズムの設計を考慮する場合、ＣＳＩプロセスに対して、ＣＳＩプロセスに含まれている複数のＮＺＰ  ＣＳＩ-ＲＳは直接構成されてもよく、あるいは複数のＮＺＰ  ＣＳＩ-ＲＳの集合が結合されたＮＺＰ  ＣＳＩ-ＲＳとして再定義されてもよい。以後の設計に対して、定義によるＣＳＩプロセスは、結合されたＮＺＰ  ＣＳＩ-ＲＳのみを含むが、実際には複数のＮＺＰ  ＣＳＩ-ＲＳを含む。次の説明は、一例としてＣＳＩプロセスに対する複数のＮＺＰ  ＣＳＩ-ＲＳを直接に構成することを考慮する。次のような方法は、ＣＳＩプロセスの複数のＮＺＰ  ＣＳＩ-ＲＳの集合が結合されたＮＺＰ  ＣＳＩ-ＲＳとして再定義される状況に適用し、結合されたＮＺＰ  ＣＳＩ-ＲＳで各ＮＺＰ  ＣＳＩ-ＲＳに適用できる。
【００６７】
ステップ７０２において、ＵＥは、基地局からスケジューリングシグナリングを受信し、スケジューリングシグナリングによってダウンリンクデータを受信する。
【００６８】
ＵＥは、ダウンリンクデータ送信をスケジューリングするためのスケジューリングシグナリングを受信し、スケジューリングシグナリングに含まれているレイヤの個数及びデータ送信のＤＭＲＳポートに関する情報に基づいてチャンネル推定を実行し、ダウンリンクデータを復号化する。より多くのＤＭＲＳポートがＭＵ-ＭＩＭＯがマルチユーザー多重化をより良くサポートするために使用できる。
【００６９】
以下、本発明のメカニズムは、次のような実施形態を参照して詳細に説明される。
【００７０】
＜実施形態１＞
従来のＬＴＥシステムで、ＣＳＩプロセスは、ＮＺＰ  ＣＳＩ-ＲＳリソース及びＣＳＩ-ＩＭとして動作するＺＰ  ＣＳＩ-ＲＳリソースを意味する。ＣＳＩ測定において、ＮＺＰ  ＣＳＩ-ＲＳリソースはチャンネル測定に使用され、ＣＳＩ-ＭＩリソースは干渉測定に使用される。チャンネル測定及び干渉測定の結果が結合されて完全なＣＳＩを生成する。例えば１６，３２，６４又はより多くの送信アンテナユニットをサポートする２次元アンテナアレイを用いて、比較的多くの物理アンテナユニットで構成されるシステムでは、従来のシステムのように各物理送信電力に対して構成されるＮＺＰ  ＣＳＩ-ＲＳポートを通じて実行されるチャンネル測定は、ＮＺＰ  ＣＳＩ-ＲＳリソースの大きいオーバーヘッドを生成させ得る。
【００７１】
オーバーヘッドを減少させる方法は、複数のＮＺＰ  ＣＳＩ-ＲＳリソースを構成することと、複数のＮＺＰ  ＣＳＩ-ＲＳリソースの測定値を結合してＣＳＩ結果を生成することを含む。複数のＮＺＰ  ＣＳＩ-ＲＳリソースの各々は、より少ないＮＺＰ  ＣＳＩ-ＲＳポートを含み、それによってＮＺＰ  ＣＳＩ-ＲＳポートの全個数は物理アンテナユニットの全個数より少なく、ＮＺＰ  ＣＳＩ-ＲＳリソースのより小さい全体オーバーヘッドを招くようになる。一実施形態において、２個のＮＺＰ  ＣＳＩ-ＲＳリソースが構成できる。ＣＳＩプロセスは、複数のＮＺＰ  ＣＳＩ-ＲＳリソースで構成され、複数のＮＺＰ  ＣＳＩ-ＲＳリソースの構成情報は、基地局により送信される構成シグナリングに含まれるＣＳＩプロセスの構成情報に含まれる。一実施形態で、２個のＮＺＰ  ＣＳＩ-ＲＳリソースがＣＳＩプロセスに対して構成される。図５に示すように、２次元アンテナアレイが方向ｙ及び方向ｘで配置され、各々Ｍ個の行(row)及びＮ個の列(column)を有する。一例では、方向ｙは垂直方向であり、方向ｘは水平方向であり得る。他の実施形態では、方向ｘ及び方向ｙは、いずれかの２次元方向でもあり得る。次に、一例として垂直方向及び水平方向を考慮する。複数のＣＳＩ-ＲＳリソースの各ＣＳＩ-ＲＳポートを２次元アンテナアレイに含まれている物理アンテナユニットにマッピングする多様な方法が使用できる。垂直方向及び水平方向に各々ＣＳＩ-ＲＳリソースをマッピングする方法は、次に説明される。
【００７２】
Ｍ個の行及びＮ個の列を有する共通偏光された(co-polarized)２次元アンテナアレイは、垂直特性を測定するための、ＣＳＩ-ＲＳ-０で示される、Ｍ個のＮＺＰ  ＣＳＩ-ＲＳポートを含む１個のＣＳＩ-ＲＳリソースで構成され、水平特性を測定するためのＣＳＩ-ＲＳ-１で示されるＮ個のＮＺＰ  ＣＳＩ-ＲＳポートを含む他のＣＳＩ-ＲＳリソースで構成できる。図８に示すように、８個の行及び８個の列を有するアンテナアレイが垂直方向に８個のポートを含むＣＳＩ-ＲＳ-０及び水平方向に８個のポートを含むＣＳＩ-ＲＳ-１で構成されると仮定する場合、ＣＳＩ-ＲＳ-０及びＣＳＩ-ＲＳ-１での測定から獲得されるチャンネル特性が結合されてアンテナアレイの最終ＣＳＩを獲得できる。
【００７３】
図８において、ＣＳＩ-ＲＳ-０で１個のＮＺＰ  ＣＳＩ-ＲＳポート及びＣＳＩ-ＲＳ-１で１個のＮＺＰ  ＣＳＩ-ＲＳポートは、同一のアンテナユニットにマッピングされる。アンテナユニットは、共有アンテナユニットとして称される。ＮＺＰ  ＣＳＩ-ＲＳポートの冗長性(redundancy)を避けるために、共有アンテナユニットは、図９に示すように、１個のＣＳＩ-ＲＳポートのみを送信できる。すなわち、ＣＳＩ-ＲＳポートは、水平方向及び垂直方向にチャンネル測定により共有される。したがって、ＵＥは、共有アンテナユニットから１個のＮＺＰ  ＣＳＩ-ＲＳポートのＮＺＰ  ＣＳＩ-ＲＳ信号を受信し、水平方向及び垂直方向両方ともにチャンネル測定のためにＮＺＰ  ＣＳＩ-ＲＳ信号を使用する。共有アンテナユニットは、例えば図８及び図９の左側のように予め設定され、共有アンテナユニットは、ＣＳＩ-ＲＳ-０及びＣＳＩ-ＲＳ-１両方とものポート０に対応し、図８及び図９の右側のように、共有アンテナユニットは、ＣＳＩ-ＲＳ-０のポート３及びＣＳＩ-ＲＳ-１のポート２に対応する。あるいは、共有アンテナユニットは、上位レイヤシグナリングにより準静的に構成され、あるいは物理レイヤシグナリングにより指示され、あるいは標準で静的に定義されるアンテナユニットに対応することができる。
【００７４】
図９において、共有アンテナユニットは、１個のＣＳＩ-ＲＳポートのみを占有するため、Ｍ＋Ｎ＝１５個のＣＳＩ-ＲＳポートのみが実際に送信される必要がある。ＣＳＩ-ＲＳの構造は、長さ２を有するウォルシュ(Walsh)コードを用いて２個のＲＥで２個のＣＳＩ-ＲＳポートを多重化し、それによってＬＴＥシステムは、常に偶数個のＣＳＩ-ＲＳポートをサポートできる。共有アンテナユニットが１個のＣＳＩ-ＲＳポートを占有する場合、占有しないＣＳＩ-ＲＳポートは、複数のアンテナユニットの測定結果を獲得するために他のアンテナユニットのＣＳＩ-ＲＳを送信するために使用できる。図１０に示す実施形態において、追加的なアンテナユニットは、ＣＳＩ-ＲＳ-０のアンテナユニット及びＣＳＩ-ＲＳ-１のアンテナユニットの両方ともから最も長い距離を有するアンテナユニットであり得る。追加的なアンテナユニットのＣＳＩ-ＲＳ測定結果は、ＣＳＩ-ＲＳ-０及びＣＳＩ-ＲＳ-１に基づいてＣＳＩ測定結果を修正するために使用できる。ＵＥは、基地局からシグナリングを通じて追加的なアンテナユニットを知らされる。一方、ＮＺＰ  ＣＳＩ-ＲＳ信号を送信及び受信するために使用される追加的なアンテナユニットは、予め決定できる。例えば、共有アンテナユニットは、ＣＳＩ-ＲＳ-０で１個のＮＺＰ  ＣＳＩ-ＲＳポートのみを占め、新たに追加されるアンテナユニットのＮＺＰ  ＣＳＩ-ＲＳは、ＣＳＩ-ＲＳ-１で共有アンテナユニットに対応するＮＺＰ  ＣＳＩ-ＲＳポートを介して送信できる。
【００７５】
あるいは、２次元アンテナアレイはグループに分割され、ＮＺＰ  ＣＳＩ-ＲＳリソースは、対角線上でアンテナユニットの各グループに割り当てられる。例えば、２次元アンテナアレイは、アンテナユニットの４個のグループに同一に分割され、これらの各々は、Ｍ/２個の行及びＮ/２個の列を有するアンテナユニットを含む。対角線上でアンテナユニットの２個のグループに対して、ＮＺＰ  ＣＳＩ-ＲＳリソースは、上記のような方法により構成できる。図１１で４個の行及び４個の列を有するアンテナユニットの各グループに対して、４個のＣＳＩ-ＲＳポートが垂直特性を測定するために図１０に示すような方法と類似した方法で構成され、４個のＣＳＩ-ＲＳポートが水平特性を測定するために構成され得る。共有アンテナユニットは、１個のＣＳＩ-ＲＳポートのみを占有し、それによって他のアンテナユニットは、ＣＳＩ測定性能を向上させるために他のポートのＣＳＩ-ＲＳの送信に使用される。図１２に示すように、アンテナユニットの各グループは、ＣＳＩ-ＲＳ送信のための異なるマッピング方法を使用できる。例えば、左側下段のアンテナユニットのグループに対して、左側及び下段でのアンテナユニットがＣＳＩ-ＲＳを送信するために使用され、右側上段でアンテナユニットのグループに対して、右側及び上段でのアンテナユニットは、ＣＳＩ-ＲＳを送信するために使用される。対称構造がチャンネル測定の効果を均一化させ、測定正確度を改善させるのに効果的である。
【００７６】
Ｍ個の行及びＮ個の列を有する交差偏光された２次元アンテナアレイは、垂直特性を測定するためにＣＳＩ-ＲＳ-０で示されるＭ個のＮＺＰ  ＣＳＩ-ＲＳポートを含む１個のＣＳＩ-ＲＳリソースで構成され、水平特性を測定するために、ＣＳＩ-ＲＳ-１で示される２個のＮＺＰ  ＣＳＩ-ＲＳポートを含む他のＣＳＩ-ＲＳリソースで構成され得る。例えば、Ｎが４以下である場合、ＣＳＩ-ＲＳ-１は、８個を超えないＣＳＩ-ＲＳポートを含む。一方、交差偏光された２次元アンテナアレイは、垂直特性を測定するためにＣＳＩ-ＲＳ-０で示される２Ｍ個のＣＳＩ-ＲＳポートを含むＣＳＩ-ＲＳリソースで構成され、水平特性を測定するためにＣＳＩ-ＲＳ-１で示される他のＮ個のＣＳＩ-ＲＳポートを含む他のＣＳＩ-ＲＳリソースで構成され得る。例えば、Ｍが４以下である場合、ＣＳＩ-ＲＳ-０は、８個を超えないＣＳＩ-ＲＳポートを含む。ＣＳＩ-ＲＳ-０及びＣＳＩ-ＲＳ-１での測定から獲得されたチャンネル特性が結合されて全体アンテナアレイの最終ＣＳＩ情報を獲得できる。
【００７７】
図８乃至図１２は、この状況でＣＳＩ-ＲＳポートを構成する上記方法を示すためにも使用できる。例えば、アンテナアレイは、８個の行及び４個の列を含み、２個の偏光方向を測定するために垂直方向に８個のポートを有するＣＳＩ-ＲＳ-０及び水平方向に８個のポートを有するＣＳＩ-ＲＳ-１で構成されると仮定する。アンテナポートの最初の４個の列及び最後の４個の列は、各々異なる偏光方向を示す。図８乃至図１０に示すような方法により、異なる個数のＣＳＩ-ＲＳポートが異なる偏光方向に送信される。図９及び図１０に示すような方法を考慮する場合、１個のＮＺＰ  ＣＳＩ-ＲＳポートが共有アンテナユニットのために使用され、残りのＣＳＩ-ＲＳポートが２個の偏光された方向間の差を減少させるために、より少ない個数のＮＺＰ  ＣＳＩ-ＲＳポートが構成される偏光された方向に他のアンテナユニットのＮＺＰ  ＣＳＩ-ＲＳを送信するために使用できる。図９及び図１０に示すような方法と類似した方法により、共有アンテナユニットに対応する２個のＮＺＰ  ＣＳＩ-ＲＳポートが異なる偏光方向に２個のアンテナユニットに対するＮＺＰ  ＣＳＩ-ＲＳを送信するために使われる。あるいは、２次元アンテナアレイは、グループに分割される。例えば、２次元アンテナアレイは、図１１又は図１２の方法により、アンテナユニットの４個のグループに同一に分割できる。アンテナポートの最初の４個の行及び最後の４個の列が異なる偏光方向を表すため、２個の偏光方向は、同一の個数の送信ＣＳＩ-ＲＳポートを有する。しかしながら、各偏光方向は、ＣＳＩ-ＲＳを送信するアンテナユニットの全行を有していない。
【００７８】
Ｍ個の行及びＮ個の列の交差偏光された２次元アンテナアレイに対して、構成されるＣＳＩ-ＲＳリソースは、第１の偏光方向での特性を測定するためにＭ個のＮＺＰ  ＣＳＩ-ＲＳポートを含み、ＣＳＩ-ＲＳ-０として称され、構成された他のＣＳＩ-ＲＳリソースは、第２の偏光方向での特性を測定するためにＮ個のＮＺＰ  ＣＳＩ-ＲＳポートを含み、ＣＳＩ-ＲＳ-１として称される。図１６は、この方法を示す概略図である。第１の偏光方向でのＭ個のＮＺＰ  ＣＳＩ-ＲＳポートは、同一の列でアンテナユニットに必ずしも対応しないことがあり、第２の偏光方向でのＮ個のＮＺＰ  ＣＳＩ-ＲＳポートは、同一の行でアンテナユニットに必ず対応しないことがある。
【００７９】
さらに、Ｍ個の行及びＮ個の列を有する交差偏光された２次元アンテナアレイは、偏光方向に従ってアンテナユニットの２個のグループに分割される。ＣＳＩ-ＲＳは、同一の偏光方向を有するアンテナユニットの各グループに対して構成される。一実施形態において、２個の偏光方向は、同一の個数のＣＳＩ-ＲＳポートで構成され、２個の偏光方向のチャンネル特性を同一に測定できる。同一の偏光方向を有するアンテナユニットの各グループは、Ｍ個の行及びＮ個の列を含み、図８乃至図１２に示すような方法は、ＮＺＰ  ＣＳＩ-ＲＳを割り当てるために使用され、図８乃至図１２の方法以外の方法も適用されてもよい。例えば、図１３に示すように、交差偏光された２次元アンテナアレイが８個の行及び４個の列を含むと仮定する場合、同一の偏光方向を有する８行４列のアンテナユニットの各グループは、１２個のＣＳＩ-ＲＳポートで構成され、それによって全２４個のアンテナポートが構成される必要がある。全体アンテナアレイのＣＳＩは、２４個のＣＳＩ-ＲＳポートを使用することによって測定される。図１３の左側に示すように、２個の偏光方向は、ＣＳＩ-ＲＳポートをマッピングするために同一のパターンを使用することができる。一方で、図１３の右側に示すように、２個の偏光方向は、ＣＳＩ-ＲＳポートをマッピングするために異なるパターンを使用できる。最大８個のＣＳＩ-ＲＳポートをサポートする従来のリソース割当方法によれば、８ポートのＣＳＩ-ＲＳの３個のグループがすべてのＣＳＩ-ＲＳポートを送信するために要求される。図１３に示すように、異なるフィリング(filling)が異なる８ポートのＣＳＩ-ＲＳを表すために使用される。
【００８０】
＜実施形態２＞
比較的多くの物理アンテナユニットで構成されるシステムにおいて、本発明の実施形態は、オーバーヘッドを減少させるための方法を提供する。上記方法によれば、複数のＮＺＰ  ＣＳＩ-ＲＳリソースが構成され、複数のＮＺＰ  ＣＳＩ-ＲＳリソースの測定結果が結合されて最終ＣＳＩを獲得できる。複数のＮＺＰ  ＣＳＩ-ＲＳリソースを構成する方法は、上記した実施形態に制限されない。
【００８１】
従来のＬＴＥシステムで、ＣＳＩプロセスは、ＮＺＰ  ＣＳＩ-ＲＳリソース及びＣＳＩ-ＩＭとして動作するＺＰ  ＣＳＩ-ＲＳリソースを示す。ＣＳＩ-ＲＳオーバーヘッドは、複数のＮＺＰ  ＣＳＩ-ＲＳリソースを構成することによって減少できる。したがって、ＣＳＩプロセスは、複数のＮＺＰ  ＣＳＩ-ＲＳリソースを含むと定義される。複数のＮＺＰ  ＣＳＩ-ＲＳリソースがチャンネル測定時に使用されても、干渉信号の特性は、ＮＺＰ  ＣＳＩ-ＲＳリソースを使用することによって、ＣＳＩのチャンネルを測定するための方法に依存しない。それによって、干渉測定は、依然として１個のＣＳＩ-ＩＭリソースを使用できる。上記のように、比較的多くの物理アンテナユニットで構成されるシステムで、チャンネル特性が構成された複数のＮＺＰ  ＣＳＩ-ＲＳリソースにより測定されると仮定する場合、ＣＳＩプロセスは、複数のＮＺＰ  ＣＳＩ-ＲＳリソース及びＣＳＩ-ＩＭリソースとして動作する複数のＺＰ  ＣＳＩ-ＲＳリソースで構成され得る。一実施形態で、ＣＳＩプロセスは、２個のＮＺＰ  ＣＳＩ-ＲＳリソース及びＣＳＩ-ＩＭリソースで構成され得る。
【００８２】
従来のＬＴＥシステムにおいて、例えば、ｅＩＭＴＡがサポートされる状況で、２個のＣＳＩサブフレームセットで構成されるＣＳＩプロセスに対して、ＣＳＩプロセスの定義は、ＮＺＰ  ＣＳＩ-ＲＳリソース及びＣＳＩ-ＩＭリソースとして動作する２個のＺＰ  ＣＳＩ-ＲＳリソースを含むように拡張されることがある。ＣＳＩサブフレームセットに対するＣＳＩフィードバック情報を獲得するために、ＣＳＩサブフレームセットに含まれている２個のＣＳＩ-ＩＭリソースのＲＥは、干渉を測定するために使われる。あるいは、基地局は、２個のＣＳＩ-ＩＭリソース及び２個のＣＳＩサブフレームセット間のマッピングを決定する方法を実現する。上記方法に対応して、比較的多くの物理アンテナユニットで構成されるシステムにおいて、チャンネル特性が構成される複数のＮＺＰ  ＣＳＩ-ＲＳリソースにより測定されると仮定する場合、ＣＳＩプロセスは、複数のＮＺＰ  ＣＳＩ-ＲＳリソース及びＣＳＩ-ＩＭリソースとして動作する２個のＺＰ  ＣＳＩ-ＲＳリソースとして構成できる。一実施形態では、ＣＳＩプロセスは、２個のＮＺＰ  ＣＳＩ-ＲＳリソース及び２個のＣＳＩ-ＩＭリソースで構成され得る。
【００８３】
＜実施形態３＞
比較的多くの物理アンテナユニットで構成されるシステムにおいて、本発明の実施形態は、オーバーヘッドを減少させるための方法を提供する。上記方法によれば、２個のＮＺＰ  ＣＳＩ-ＲＳリソースが構成され、２個のＮＺＰ  ＣＳＩ-ＲＳリソースの測定結果が結合されて最終ＣＳＩを獲得できる。２個のＮＺＰ  ＣＳＩ-ＲＳリソースを構成する方法は、上記実施形態で制限されない。
【００８４】
ＵＥは各ＮＺＰ  ＣＳＩ-ＲＳリソースを測定し、ＮＺＰ  ＣＳＩ-ＲＳリソースのＣＳＩ情報を各々報告すると仮定する。ＣＳＩ情報は、ＮＺＰ  ＣＳＩ-ＲＳリソースの測定から獲得されるＰＭＩ情報を少なくとも含む。ＲＩ及びＣＱＩに関して、ＵＥが各ＮＺＰ  ＣＳＩ-ＲＳリソースに対してＲＩ及び/又はＣＱＩを各々報告するか、あるいは２個のＣＳＩ-ＲＳリソースの結合から獲得される単一ＲＩ及び/又はＣＱＩを報告するかは、本発明で制限されない。ｋ番目のＣＳＩ-ＲＳリソースに対応するＰＭＩをＰＭＩｋと称する場合、ＵＥは、ＰＭＩの各対間の位相情報をさらに報告して基地局が各個別ＰＭＩｋによりＵＥへのデータ送信のために最適の結合ＰＭＩを獲得することを可能にする。例えば、２個のＣＳＩ-ＲＳリソースが構成され、ＵＥが報告されるＰＭＩ０及びＰＭＩ１を有し、１個のレイヤを有するプリコーディングベクタを指示すると仮定する場合、ＵＥは、位相情報をさらにフィードバックできる。位相情報は、全アンテナユニットの信号が同一の位相を有するようにして、結合されたＰＭＩを生成するためのＰＭＩ０とＰＭＩ１の結合中にビームフォーミングの利得を最大化させる。
【００８５】
＜実施形態４＞
従来のＬＴＥシステムにおいて、ＣＳＩプロセスは、ＮＺＰ  ＣＳＩ-ＲＳリソース及びＣＳＩ-ＩＭリソースとして動作するＺＰ  ＣＳＩ-ＲＳリソースを示す。ＣＳＩ測定において、ＮＺＰ  ＣＳＩ-ＲＳリソースは、チャンネル測定に使用され、ＣＳＩ-ＭＩリソースは、干渉測定に使用される。チャンネル測定及び干渉測定の結果は、ＣＳＩを生成するために結合される。ＵＥは、獲得したＣＳＩ情報が特定ターゲットＢＬＥＲ値、例えば０.１を満足させるためにＣＳＩを測定する場合、基準ＰＤＳＣＨ送信電力の仮定を必要とする。従来の規格では、ＣＳＩ測定でＵＥにより使用される基準ＰＤＳＣＨ送信電力の仮定、すなわちＰＣで示されるＰＤＳＣＨのＲＥ当たりエネルギー(Energy  Per  RE：ＥＰＲＥ)対ＮＺＰ  ＣＳＩ-ＲＳのＥＰＲＥの比が定義される。従来のＬＴＥシステムで、ＣＲＳを含まないＯＦＤＭシンボルでＰＤＳＣＨのＥＰＲＥは、ＰＣに基づいて決定され得る。ＣＲＳを含むＯＦＤＭシンボルでのＰＤＳＣＨのＥＰＲＥを考慮する場合、パラメータＰＢの影響も既存のＬＴＥ方法によって考慮される。
【００８６】
比較的多くの物理アンテナユニットで構成されるシステムにおいて、本発明の実施形態は、オーバーヘッドを減少させるための方法を提供する。上記方法によると、複数のＮＺＰ  ＣＳＩ-ＲＳリソースがＣＳＩプロセスのために構成され、複数のＮＺＰ  ＣＳＩ-ＲＳリソースの測定結果が結合されて最終ＣＳＩを獲得できる。複数のＮＺＰ  ＣＳＩ-ＲＳリソースを構成する方法は、上記した実施形態で制限されない。
【００８７】
ＣＳＩプロセスに対して構成される複数のＮＺＰ  ＣＳＩ-ＲＳリソースにおいて、異なるＮＺＰ  ＣＳＩ-ＲＳリソースは、同一の又は異なるＥＰＲＥを有することができる。本発明は、異なるＮＺＰ  ＣＳＩ-ＲＳリソースが異なるＥＰＲＥを有するようにする理由を制限しない。可能な理由は、異なるＮＺＰ  ＣＳＩ-ＲＳリソースが異なる個数のＣＳＩ-ＲＳポートを有することであり、これは、異なるＮＺＰ  ＣＳＩ-ＲＳリソースが異なるエネルギーブースティング(boosting)を有するようになる。例えば、各アンテナユニットの正規化されたエネルギーをＰで示す場合、第１のＮＺＰ  ＣＳＩ-ＲＳリソースが４個のポートを含むと仮定し、各ＮＺＰ  ＣＳＩ-ＲＳポートが３ｄＢのエネルギーブースティングを有すると仮定する場合、ＮＺＰ  ＣＳＩ-ＲＳを搬送する各ＲＥのエネルギーは４Ｐであり、第２のＮＺＰ  ＣＳＩ-ＲＳリソースが８個のポートを含むと仮定し、各ＮＺＰ  ＣＳＩ-ＲＳポートが６ｄＢのエネルギーブースティングを有すると仮定する場合、ＮＺＰ  ＣＳＩ-ＲＳを搬送する各ＲＥのエネルギーは８Ｐである。すなわち、ＮＺＰ  ＣＳＩ-ＲＳが異なる個数のアンテナポートを有する場合、ＮＺＰ  ＣＳＩ-ＲＳのＲＥは異なるＥＰＲＥを有する。その上、異なるＮＺＰ  ＣＳＩ-ＲＳリソースは、異なる機能を有し、それによって、異なるＥＰＲＥを有することができる。
【００８８】
ＣＳＩプロセスの複数のＮＺＰ  ＣＳＩ-ＲＳリソースは、異なるＥＰＲＥを有し、これは、ＵＥが各ＮＺＰ  ＣＳＩ-ＲＳリソースに基づいてＣＳＩを測定する場合、基準ＰＤＳＣＨ送信電力の仮定に影響を及ぼす。ＵＥは、異なるＮＺＰ  ＣＳＩ-ＲＳリソースを用いてチャンネル状態測定の際に同一の基準ＰＤＳＣＨ送信電力を使用できる。あるいは、基地局は、異なるＮＺＰ  ＣＳＩ-ＲＳリソースに対して異なる基準ＰＤＳＣＨ送信電力を設定できる。本発明の方法の６つの実施形態は、次のように説明される。
【００８９】
基準ＰＤＳＣＨ送信電力を設定する第１の方法によると、Ｐc(k)、ｋ＝０，１，…，Ｎ-１で示される、基準ＰＤＳＣＨ送信電力のＮ個の仮定は、Ｎ個のＮＺＰ  ＣＳＩ-ＲＳリソースで構成されるＣＳＩプロセスに対する上位レイヤシグナリングを通じて設定され得る。ｋ番目のＮＺＰ  ＣＳＩ-ＲＳリソースを用いてＣＳＩを測定するとき、ＵＥは、Ｐc(k)により基準ＰＤＳＣＨ送信電力の仮定を決定できる。このＰc(k)を用いて獲得される基準ＰＤＳＣＨ送信電力は、ＵＥのチャンネル状態の測定時のＮ個のＮＺＰ  ＣＳＩ-ＲＳリソースに対して同一である。あるいは、基地局は、基準ＰＤＳＣＨの送信電力が異なるＮＺＰ  ＣＳＩ-ＲＳリソースに対して異なるようにＰc(k)を設定できる。
【００９０】
基準ＰＤＳＣＨ送信電力を設定する第２の方法によると、基準ＰＤＳＣＨ送信電力の仮定ＰＣは、ＣＳＩプロセスに対して構成される複数のＮＺＰ  ＣＳＩ-ＲＳリソースのうちいずれか一つに対する上位レイヤシグナリングを通じて構成され、それによってＣＳＩがＮＺＰ  ＣＳＩ-ＲＳを用いて測定される場合の基準ＰＤＳＣＨ送信電力が構成される。ＵＥは、異なるＮＺＰ  ＣＳＩ-ＲＳリソースのポートの個数での差に従って異なるＮＺＰ  ＣＳＩ-ＲＳリソースを用いてＣＳＩの測定時に使われる基準ＰＤＳＣＨ送信電力の仮定を獲得できる。例えば、ＣＳＩ-ＲＳポートの個数での差は、各ＮＺＰ  ＣＳＩ-ＲＳリソースを用いてチャンネル状態測定のための同一の基準ＰＤＳＣＨ送信電力を獲得するために補償され得る。ＰＣが構成されるＮＺＰ  ＣＳＩ-ＲＳリソースは、上位レイヤシグナリングで特定される。すなわち、上位レイヤシグナリングは、ＰＣに対応するＮＺＰ  ＣＳＩ-ＲＳリソースのインデックスを特定できる。あるいは、ＰＣは、予め設定されたインデックスを有するＮＺＰ  ＣＳＩ-ＲＳリソースに対して構成されると定義され、例えば、インデックスは０又は１である。したがって、上位レイヤシグナリングでインデックスを特定する必要はない。ＰＣが構成されるＮＺＰ  ＣＳＩ-ＲＳリソースは、ここで基準ＮＺＰ  ＣＳＩ-ＲＳリソースと称される。
【００９１】
基準ＮＺＰ  ＣＳＩ-ＲＳリソースのポートの個数はＰ０と称し、他のＮＺＰ  ＣＳＩ-ＲＳリソースのポートの個数がＰｋであると仮定する場合、Ｐ０及びＰｋは、一般的に２の指数値であり、ＵＥがｋ番目のＮＺＰ  ＣＳＩ-ＲＳリソースを用いてＣＳＩを測定する場合、基準ＰＤＳＣＨ送信電力の仮定Ｐc(k)、すなわち基準ＰＤＳＣＨのＥＰＲＥ対ｋ番目のＮＺＰ  ＣＳＩ-ＲＳのＥＰＲＥの比は、次のような数式により獲得できる。
【００９２】
【数３】
0006619363.tif 000006
【００９３】
基準ＰＤＳＣＨ送信電力を構成する第３の方法によると、基準ＰＤＳＣＨ送信電力の仮定ＰＣは、ＣＳＩプロセスに対して構成される複数のＮＺＰ  ＣＳＩ-ＲＳリソースのいうちいずれか一つに対する上位レイヤシグナリングを通じて構成される。上記のように、ＮＺＰ  ＣＳＩ-ＲＳリソースを使用するＣＳＩ測定で使用される基準ＰＤＳＣＨ送信電力が構成される。ＵＥは、各ＮＺＰ  ＣＳＩ-ＲＳリソースを使用するＣＳＩ測定で同一の基準ＰＤＳＣＨ送信電力を使用できる。ＰＣが構成されるＮＺＰ  ＣＳＩ-ＲＳリソースは、上位レイヤシグナリングで特定できる。すなわち、上位レイヤシグナリングは、ＰＣに対応するＮＺＰ  ＣＳＩ-ＲＳリソースのインデックスを特定できる。あるいは、ＰＣは、予め設定されたインデックスを有するＮＺＰ  ＣＳＩ-ＲＳリソースに対して構成されると定義され、例えば、インデックスは０又は１であり得る。したがって、上位レイヤシグナリングでインデックスを特定する必要はない。ＰＣが構成されるＮＺＰ  ＣＳＩ-ＲＳリソースは、ここで基準ＮＺＰ  ＣＳＩ-ＲＳリソースと称される。
【００９４】
一実施形態において、ＵＥは、基準ＮＺＰ  ＣＳＩ-ＲＳリソースに対して構成されるＰＣ及び各ＮＺＰ  ＣＳＩ-ＲＳに対して同一の基準ＰＤＳＣＨ送信電力を使用する条件下で異なるＮＺＰ  ＣＳＩ-ＲＳリソースのポートの個数での差に基づいて他のＮＺＰ  ＣＳＩ-ＲＳリソースの各々を使用するＣＳＩ測定で使われる基準ＰＤＳＣＨ送信電力の仮定を獲得できる。基準ＰＤＳＣＨ送信電力を構成する第２の方法と同様に、基準ＮＺＰ  ＣＳＩ-ＲＳリソースのポートの個数はＰ０と称され、他のＮＺＰ  ＣＳＩ-ＲＳリソースのポートの個数はＰｋであると仮定する場合、Ｐ０及びＰｋは一般的に２の指数であり、ＵＥがｋ番目のＮＺＰ  ＣＳＩ-ＲＳリソースを用いてＣＳＩを測定する場合、基準ＰＤＳＣＨ送信電力の推定Ｐc(k)、すなわち基準ＰＤＳＣＨのＥＰＲＥ対ｋ番目のＮＺＰ  ＣＳＩ-ＲＳのＥＰＲＥの比は、次のような数式により獲得できる。
【００９５】
【数４】
0006619363.tif 000007
【００９６】
基準ＰＤＳＣＨ送信電力を構成する第４の方法によると、Ｎ個のＮＺＰ  ＣＳＩ-ＲＳリソースで構成されるＣＳＩプロセスに対して、基準ＰＤＳＣＨ送信電力の仮定ＰＣが構成され、Ｎ個のＮＺＰ  ＣＳＩ-ＲＳリソース全部に適用され得る。すなわち、各ＮＺＰ  ＣＳＩ-ＲＳに対する基準ＰＤＳＣＨのＥＰＲＥは、ＰＣ及びＮＺＰ  ＣＳＩ-ＲＳのＥＰＲＥを使用することにより獲得できる。この方法によれば、Ｎ個のＮＺＰ  ＣＳＩ-ＲＳリソースに全部同一のＰＣを適用することを可能にする基地局機能は、ＣＳＩ測定の性能要求事項を満たすことができる。Ｎ個のＮＺＰ  ＣＳＩ-ＲＳリソースが異なるＥＰＲＥを有する場合、異なるＮＺＰ  ＣＳＩ-ＲＳの基準ＰＤＳＣＨ送信電力も異なる。あるいは、Ｎ個のＮＺＰ  ＣＳＩ-ＲＳリソースが異なる個数のポートを有しても、基地局は、同一のＥＰＲＥを使用するようにまだＮ個のＮＺＰ  ＣＳＩ-ＲＳリソースを構成し、それによって同一のＰＣを共有することは、Ｎ個のＮＺＰ  ＣＳＩ-ＲＳリソースの各々に基づいてチャンネル状態測定で同一の基準ＰＤＳＣＨ送信電力を使用するＵＥを招くことができる。この実施形態において、異なるＮＺＰ  ＣＳＩ-ＲＳリソースが異なる個数のポートを有し、異なるＮＺＰ  ＣＳＩ-ＲＳリソースのＮＺＰ  ＣＳＩ-ＲＳポートは異なるエネルギーブースティングを有すると仮定する。
【００９７】
基準ＰＤＳＣＨ送信電力を構成する第５の方法によると、ＵＥは、ＣＳＩプロセスの複数のＮＺＰ  ＣＳＩ-ＲＳリソースのうち一部を使用するＣＳＩ測定で、予め設定されるＰＣ値、例えば０ｄＢを使用できる。一方、他のＮＺＰ  ＣＳＩ-ＲＳリソースに対する基準ＰＤＳＣＨ送信電力を決定するのに使用されるパラメータＰＣは、上記４つの方法を使用して構成される。一実施形態では、ＣＳＩプロセスが各々ＣＳＩ-ＲＳ-Ａ及びＣＳＩ-ＲＳ-Ｂと称される２個のＮＺＰ  ＣＳＩ-ＲＳリソースを含むと仮定する場合、ＵＥは、まずＣＳＩ-ＲＳ-Ａを測定し、測定したＰＭＩＡを基地局に報告できる。基地局は、ＰＭＩＡによりＣＳＩ-ＲＳ-Ｂをプリコーディングし、ＣＳＩ-ＲＳ-Ｂを送信する。ＵＥは、ＣＳＩ-ＲＳ-Ｂに基づいて測定を実行し、測定したＣＳＩをフィードバックする。ＣＳＩ-ＲＳ-Ａは、ＣＳＩ-ＲＳ-ＢをプリコーディングするためのＰＭＩＡを獲得するために使用され、基準ＰＤＳＣＨの送信に直接に関連されない。それによって、ＵＥは、ＣＳＩ-ＲＳ-ＡのＥＰＲＥに対するＰＤＳＣＨ信号の電力の比が１であると仮定してＰＭＩＡを測定できる。上位レイヤシグナリングを通じて構成されるＰＣは、ＣＳＩ-ＲＳ-Ｂに基づいてＣＳＩ測定で基準ＰＤＳＣＨ送信電力の決定に限って使用される。
【００９８】
基準ＰＤＳＣＨ送信電力を構成する第６の方法によると、複数のＮＺＰ  ＣＳＩ-ＲＳリソースの使用に従って、ＵＥは、信号電力の追加仮定なしに、複数のＮＺＰ  ＣＳＩ-ＲＳリソースのうち一部に基づいてＣＳＩ測定を実行でき、上記のような４個の方法を使用して他のＮＺＰ  ＣＳＩ-ＲＳリソースに対する基準ＰＤＳＣＨ送信電力を決定するために使用されるパラメータＰＣを獲得できる。一実施形態では、ＣＳＩプロセスが各々ＣＳＩ-ＲＳ-Ａ及びＣＳＩ-ＲＳ-Ｂで示される２個のＮＺＰ  ＣＳＩ-ＲＳリソースを含むと仮定する場合、ＵＥは、ＣＳＩ-ＲＳ-Ａに基づいた測定を通じてＰＭＩＡを基地局に報告するが、ＣＱＩのような他の情報をフォードバックしない。基地局は、ＰＭＩＡを用いてＣＳＩ-ＲＳ-Ｂをプリコーディングし、ＣＳＩ-ＲＳ-Ｂを送信する。ＵＥは、ＣＳＩ-ＲＳ-Ｂに基づいて測定を実行し、測定されたＣＳＩをフィードバックする。ＣＳＩ-ＲＳ-Ａを考慮する場合、ＣＱＩのような他の情報をフォードバックする必要がないため、ＵＥは、信号電力の追加的な仮定なしに測定時にＣＳＩ-ＲＳ-Ａを用いてＰＭＩＡを直接に獲得できる。上位レイヤシグナリングを通じて構成されるＰＣは、ＣＳＩ-ＲＳ-Ｂに基づいたＣＳＩ測定のための基準ＰＤＳＣＨ送信電力を決定することに限って使用される。
上記したような４個の実施形態によれば、ＣＳＩプロセスは、完全なＣＳＩ情報を獲得し、ＮＺＰ  ＣＳＩ-ＲＳリソースのオーバーヘッドを減少させるためにＣＳＩ測定のための複数のＮＺＰ  ＣＳＩ-ＲＳリソースで構成される。以下の実施形態は、ＭＵ-ＭＩＭＯをよりサポートするＤＭＲＳ送信の設計を示す。
【００９９】
＜実施形態５＞
図１４は、従来のＬＴＥシステムのＤＭＲＳマッピングを示す概略図である。ＭＵ-ＭＩＭＯがサポートされる必要がある場合、従来のＬＴＥシステムは、１２個のＲＥ(例えば、図１４でグリッド(grid)で満たされているＲＥ)で複数のＵＥのＤＭＲＳの多重化のみをサポートする。一実施形態において、長さが２を有するウォルシュコードは、時間拡張のために使用され、ＤＭＲＳポート７及び８は、ＤＭＲＳ伝送に使用され、他のｎＳＣＩＤが２個の準直交(quasi-orthogonal)ＤＭＲＳシーケンスを生成するために構成される。ＤＭＲＳポートに対する同一のｎＳＣＩＤを用いて生成されるＤＭＲＳシーケンスは、完全直交(fully  orthogonal)し、一方、異なるｎＳＣＩＤを用いて生成されるＤＭＲＳシーケンスは準直交する。
【０１００】
比較的多くの物理アンテナユニット、例えば１６，３２，６４、又はそれ以上の送信アンテナユニットで構成されるシステムにおいて、アンテナユニットの個数での増加は、ＭＵ-ＭＩＭＯのより良いサポートを可能にする。しかしながら、従来のＬＴＥ方法は、２個の完全直交ＤＭＲＳポートのみをサポートし、それによって同一のリソースで複数のＵＥのＰＤＳＣＨを多重化することは、制限された性能を有する。一実施形態で、ＤＭＲＳポートを拡張させる２つの方法が提供される。基地局によりＵＥに送信されるスケジューリングシグナリングは、ＵＥに割り当てられるＤＭＲＳポートを特定する。ＵＥは、ＤＭＲＳ信号を受信し、ＤＭＲＳポートを用いてチャンネル推定及びダウンリンクデータプロセシングを実行する。ＵＥに割り当てられたＤＭＲＳポートは、従来のＬＴＥ方法のようにＭＵ-ＭＩＭＯをサポートする全直交ＤＭＲＳポートに制限されないが、他のポートを含む。次は、いくつかの実施形態を示す。
【０１０１】
方法は、直交ＤＭＲＳポートをより良くサポートするためにＤＭＲＳのために使用されるＲＥを増加させる。例えば、図１４に示すように、２４個のＤＭＲＳ  ＲＥがすべてＭＵ-ＭＩＭＯサポートのためにＤＭＲＳ送信が使用される。すなわち、従来のＬＴＥス規格に定義されるＤＭＲＳポート７-１０は、ＭＵ-ＭＩＭＯをサポートするようにする。しかしながら、この方法によると、ＰＤＳＣＨ送信に対して実際に使用可能なＲＥの個数が１２だけ減少し、それによってＰＤＳＣＨ送信の性能が影響を受けるようになる。
【０１０２】
ＤＭＲＳオーバーヘッドを減少させるために、ＤＭＲＳがポート７のＲＥ集合でのみ送信される場合、基地局は、ＵＥにポート９のＲＥ集合からＰＤＳＣＨを受信するように指示できる。一実施形態で、ＤＭＲＳにより占められるＲＥ集合の個数をＮＤＭＲＳで示す場合、スケジューリング信号は、ＮＤＭＲＳを含み、ＤＭＲＳにより実際に占められるＲＥ集合を特定できる。１の値を有するＮＤＭＲＳは、ＤＭＲＳがポート７のＲＥ集合でのみ送信されることを示し、２の値を有するＮＤＭＲＳは、ＤＭＲＳがポート７及びポート９のＲＥ集合で送信されることを示す。＜表３＞は、この方法の一例である。単一コードワードが単一レイヤで送信又は再送信される場合、ＮＤＭＲＳが１と同一である場合、指示情報は、ＤＭＲＳポート７又は８を特定してｎＳＣＩＤが０と同一であるか、あるいは１と同一であるかを特定するように要求される。すなわち、特定される必要のある４個の可能性が存在し、ＮＤＭＲＳが２と同一でる場合、指示情報は、ＤＭＲＳポート７-１０のうちいずれか一つを特定してｎＳＣＩＤが０又は１と同一であるか否かを特定するように要求される。すなわち、特定される必要のある８個の可能性が存在する。初期送信で２個のレイヤを占有するコードワードが再送信される場合、他のＵＥのデータがＭＵ-ＭＩＭＯ送信に含まれるため、指示情報がＮＤＭＲＳが１又は２と同一であるか否かを特定するように要求され、それによって特定される必要のある２個の可能性が存在し、ｎＳＣＩＤがデフォルトにより０と同一である。初期送信で３又は４個のレイヤを占められるコードワードが再送信される場合、特定される必要のある２個の可能性が存在し、ｎＳＣＩＤはデフォルトにより０と同一である。２個のコードワードの送信を考慮すると、２個のレイヤがＵＥに割り当てられる場合、ＮＤＭＲＳが１と同一である場合、ポート７及び８が使用され、指示情報はｎＳＣＩＤが０又は１と同一であるか否かを特定するように要求され、それによって２個の可能性が存在し、ＮＤＭＲＳが２と同一である場合、ポート７及び８又はポート９及び１０が使用され、ＮＤＭＲＳが０又は１である場合、特定される必要のある４個の可能性が存在し、３個を超えるレイヤがＵＥに割り当てられる場合、ＳＵ-ＭＩＭＯのみがサポートされ、それによって６個の可能性が存在し、すなわちレイヤの全体個数が３，４，５，６，７，８であり、ｎＳＣＩＤはデフォルトにより０と同一である。
【０１０３】
【表３】
0006619363.tif 000008
【０１０４】
他の方法によると、ＤＭＲＳに対するＲＥの個数は増加せず、すなわち図１４に示すようにグリッドで満たされる１２個のＲＥがまだ使用され、時間拡張のためのウォルシュコードの長さは、より多くの直交ＤＭＲＳを多重化するためにＤＭＲＳのＭＵ-ＭＩＭＯ送信をサポートするために増加する。
【０１０５】
長さ４を有する時間-拡張コードは、ＭＵ-ＭＩＭＯのための１２個のＤＭＲＳ  ＲＥで使用され、使用される４個のＤＭＲＳポートは７，８，１１、及び１３である。＜表４＞は、４個のポートがマッピングされる時間拡張コードである。４個の時間拡張コード間の直交性に関する関係は異なる。例えば、ポート７の時間拡張コードは、ポート８の時間拡張コードと最も良い直交性を有するが、ポート１１の時間拡張コードとは最も悪い直交性を有する。従来のＬＴＥ規格において、デュアルレイヤ送信がサポートされる場合、ポート７及びポート８は、ＵＥに割り当てられる。すなわち、＜表４＞に示すように、４個の時間拡張コードの最も良い直交性を有する２個の時間拡張コードを同一のＵＥに割り当てられる。基地局のＤＭＲＳ割り当てに対して柔軟性を付加するために、ＤＭＲＳ割り当ての際に、４個のＤＭＲＳポートで最も良い直交性を有する２個のポートは、同一のＵＥの異なるレイヤに割り当てられてＵＥの２個のレイヤ間の干渉を減少させ、あるいは異なるＵＥに割り当てられてＵＥ間の干渉を減少させ得る。
【０１０６】
【表４】
0006619363.tif 000009
【０１０７】
＜表５＞は、本発明の一例により割り当てられたレイヤの個数及びＤＭＲＳポートを特定する方法を示す。単一コードワードが単一レイヤを用いて送信又は再送信される場合、指示情報は、ＤＭＲＳポート７，８，１１，１３のうちいずれか一つを特定し、ｎＳＣＩＤが０であるかあるいは１であるかを特定するように要求され、それによって、特定される必要のある８個の可能性が存在する。単一コードワードが再送信され、初期送信でレイヤの個数が２以上である場合、追加的指示情報は、レイヤの個数が２，３、又は４であるか否かを特定する必要があり、すなわち３個の可能性が存在し、ｎＳＣＩＤはデフォルトにより０である。２個のコードワードの送信を考慮すると、２個のレイヤがＵＥに割り当てられる場合、ポート７及び８、あるいはポート１１及び１３、あるいはポート７及び１１、又はポート８及び１３が使用され、ｎＳＣＩＤは０又は１であり、それによって特定される必要のある８個の可能性が存在し、３個を超えるレイヤがＵＥに割り当てられる場合、ＳＵ-ＭＩＭＯのみがサポートされ、それによって６個の可能性が存在し、すなわちレイヤの全個数が３，４，５，６，７，８であり、ｎＳＣＩＤは、デフォルトにより０と同一である。
【０１０８】
【表５】
0006619363.tif 000010
【０１０９】
＜表５＞の方法によれば、ＵＥは、時間拡張コードの長さに関する如何なる情報も必要なくチャンネル推定を実行し、あるいはＵＥは、時間拡張コードの長さが４であることを考慮する場合にチャンネル推定を実行することができる。
【０１１０】
時間拡張コードの長さは、その長さが２である時間拡張コードは長さが４である時間拡張コードより良い逆拡散性能を有するので、レイヤの個数及びＤＭＲＳポートと共に特定され、それによってＵＥは、チャンネル推定結果を向上させるときに時間拡張コードの長さを使用できる。時間拡張コードの長さはＬＯＣＣと称される。＜表６＞は、この方法の一例である。単一コードワードが単一レイヤで送信又は再送信される場合、ＬＯＣＣが２と同一である場合、指示情報は、ＤＭＲＳポート７又は８を特定してｎＳＣＩＤが０又は２と同一であるか否かを特定することが要求され、すなわち特定される必要のある４個の可能性が存在する。ＬＯＣＣが４と同一である場合、指示情報は、ＤＭＲＳポート７，８，１１，１３のうちいずれか一つを特定し、ｎＳＣＩＤが０又は１と同一であるか否かを特定することが要求され、すなわち特定される必要のある８個の可能性が存在する。初期送信で２個のレイヤを占有するコードワードが再送信される場合、他のＵＥのデータがＭＵ-ＭＩＭＯ送信に含まれるため、ＬＯＣＣが２又は４と同一であるか否かを特定する追加的な指示情報が必要であり、したがって特定される必要のある２個の可能性が存在し、ｎＳＣＩＤはデフォルトにより０と同一である。初期送信で３個のレイヤを占有するコードワードが再送信される場合、特定される必要のある２個の可能性が存在し、ｎＳＣＩＤはデフォルトにより０と同一である。２個のコードワードが送信される場合、ＵＥに割り当てられたレイヤの個数が２である場合、ＬＯＣＣ＝２である場合、ポート７及び８が使用されることができ、ｎＳＣＩＤは０又は１であり、すなわち特定される必要のある２個の可能性が存在し、ＬＯＣＣ＝４である場合、ポート７及び８、又はポート１１及び１３が使用され、ｎＳＣＩＤは０又は１であり、すなわち特定される必要のある４個の可能性が存在し、ＵＥに割り当てられるレイヤの個数が３以上である場合、ＳＵ-ＭＩＭＯのみがサポートされ、そのため、特定される必要のある６個の可能性が存在し、すなわちレイヤの全個数は３，４，５，６，７、及び８であり、ｎＳＣＩＤはデフォルトにより０である。
【０１１１】
【表６】
0006619363.tif 000011
【０１１２】
＜表７＞に示すような方法は、＜表５＞及び＜表６＞の方法を結合することによって獲得され得る。上記方法によれば、２個のレイヤを占有するデータの送信は、ポート７及び８、ポート１１及び１３、ポート７及び１１、あるいはポート８及び１３を使用し、ＬOCCが特定される。
【０１１３】
【表７】
0006619363.tif 000012
【０１１４】
＜実施形態５＞の方法は、ＭＵ-ＭＩＭＯのために使用されるより多くのＤＭＲＳポートをサポートできる。
【０１１５】
上記では本発明のデータ送信方法のいくつかの実施形態について説明した。また、本発明は、上記のようなデータ送信方法を実現するように構成されるデータ送信装置を提供する。図１５は、本発明の実施形態によるデータ送信装置のモジュールを示す概略図である。図１５に示すように、データ送信装置は、構成シグナリング受信モジュール、ＣＳＩ測定及び報告モジュール、スケジューリングシグナリング受信モジュール、及びダウンリンクデータ受信モジュールを含むことができる。
【０１１６】
構成シグナリング受信モジュールは、基地局により送信されるＣＳＩ-ＲＳに対する構成シグナリングを受信するように構成される。ＣＳＩ測定及び報告モジュールは、ＣＳＩ-ＲＳに対する構成シグナリングに従ってＣＳＩを測定及び報告するように構成される。スケジューリングシグナリング受信モジュールは、基地局により送信されるスケジューリングシグナリングを受信するように構成される。ダウンリンクデータ受信モジュールは、スケジューリングシグナリングによってダウンリンクデータを受信するように構成される。
【０１１７】
一実施形態では、構成シグナリング受信モジュールにより受信される構成シグナリングのＣＳＩプロセスの構成情報は、少なくとも２個のＮＺＰ  ＣＳＩ-ＲＳリソースの構成情報を含むことができる。ＣＳＩ測定及び報告モジュールは、ＣＳＩプロセスのすべてのＮＺＰ  ＣＳＩ-ＲＳリソースの構成情報によりＮＺＰ  ＣＳＩ-ＲＳ信号を受信し、ＣＳＩプロセスで受信されるすべてのＮＺＰ  ＣＳＩ-ＲＳ信号の測定結果を結合してＣＳＩ情報を獲得できる。
【０１１８】
スケジューリングシグナリング受信モジュールにより受信されるスケジューリングシグナリングは、ＵＥに割り当てられたＤＭＲＳポートの情報、データ送信レイヤの個数、及びＮＤＭＲＳと称されるＤＭＲＳにより実際に占有されるＲＥ集合の個数を含むことができる。ダウンリンクデータ受信モジュールは、スケジューリングシグナリングに含まれている割り当てられたＤＭＲＳポート及びデータ送信レイヤの個数に従ってＤＭＲＳ信号を受信できる。ＤＭＲＳ７-１０は、ＤＭＲＳ信号のＭＵ-ＭＩＭＯ送信をサポートするために使用される。ＮＤＭＲＳはＤＭＲＳ信号がポート７のＲＥ集合でのみ送信されることを示す場合、ダウンリンクデータ受信モジュールは、ポート９のＲＥ集合でＰＤＳＣＨを受信できる。
【０１１９】
あるいは、スケジューリングシグナリング受信モジュールにより受信されるスケジューリングシグナリングは、ＵＥに割り当てられたＤＭＲＳポート及びデータ送信レイヤの個数の情報を含む。時間拡張ウォルシュコードの長さは、ＭＵ-ＭＩＭＯ送信をサポートするために追加される。ＵＥに割り当てられたＤＭＲＳポートは、ＭＵ-ＭＩＭＯをサポートするすべてのＤＭＲＳポートで最も良い直交性を有するＤＭＲＳポートである。あるいは、ＭＵ-ＭＩＭＯをサポートする全ＤＭＲＳポートで最も良い直交性を有するＤＭＲＳポートは、異なるＵＥに割り当てられる。一実施形態では、スケジューリングシグナリングは、ＵＥに割り当てられたＤＭＲＳポートに対応する時間拡張コードの長さＬＯＣＣを含んでもよい。
【０１２０】
上記した本発明による実施形態は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ(Read-Only Memory)、ＲＡＭ(Random-Access Memory)、ＣＤ-ＲＯＭ、磁気テープ、フロッピーディスク、光データ格納装置、及び搬送波(有無線伝送経路を介してインターネットを経由するデータ伝送のような)を含むが、これに限定されることではない。また、このコンピュータ読み取り可能な記録媒体は、ネットワーク接続されたコンピュータシステムにわたって分散されることによって、コンピュータ読み取り可能なコードは分散形態で格納及び遂行される。また、本発明を達成するための機能(function)プログラム、コード、及びコードセグメントは、当該技術分野における熟練されたプログラマにとっては容易に理解できることである。
【０１２１】
本発明の実施形態によるトポロジ処理方法は、ハードウェア、ソフトウェア、又はそれらの組み合わせの形態で実現可能であることがわかる。このようなソフトウェアは、例えば、揮発性又は非揮発性格納装置(例えば、削除可能/再書き込み可能なＲＯＭ、メモリ、例えば、ＲＡＭ、メモリチップ、及びメモリデバイス、又はメモリ集積回路(ＩＣ)、又は光的に又は磁気的に記録可能な機械(例えば、コンピュータ)-読み取り可能な格納媒体(例えば、ＣＤ(Compact Disc)、ＤＶＤ(Digital Versatile Disc)、磁気ディスク、及び磁気テープ)に格納することができる。本発明の一実施形態による方法及び装置は、制御部及びメモリを含むコンピュータ又は移動端末により実現され得る。このメモリは、本発明の多様な実施形態を実現するための命令を含むプログラムを格納するのに適合した機械読み取り可能な(例えば、コンピュータ読み取り可能な)格納媒体であり得る。
【０１２２】
したがって、本発明は、本請求項により定められた装置及び方法を実現するためのコードを含むプログラム、及びプログラムを格納する非一時的な機械(例えば、コンピュータ)読み取り可能な格納媒体を含む。このプログラムは、有線/無線接続を通じて伝送される通信信号のような媒体を介して電気的に伝送でき、これに均等なものとともに本発明に含まれる。
【０１２３】
したがって、本発明は、本請求項により定められた装置及び方法を実現するための符号を含むプログラム、及びこのようなプログラムを格納する機械(例えば、コンピュータ)読み取り可能な格納媒体を含む。このプログラムは、有線/無線接続を通じて伝送される通信信号のような媒体を介して電気的に伝送でき、これに均等なものと共に本発明に含まれる。
【０１２４】
本発明の一実施形態による装置は、有線又は無線で接続されるプログラム提供装置からプログラムを受信して格納することができる。上記プログラム提供装置は、プログラム処理装置が既に設定されたコンテンツ保護方法を遂行するように指示する指示、コンテンツ保護方法に必要な情報を格納するメモリ、グラフィック処理装置との有線又は無線通信を遂行するための通信部、及びグラフィック処理装置のリクエスト又は自動で関連プログラムを送受信装置に伝送する制御部を含むことができる。
【０１２５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１２６】
７０１，７０２  ステップ
【図１】
0006619363.tif 000013
【図２】
0006619363.tif 000014
【図３】
0006619363.tif 000015
【図４】
0006619363.tif 000016
【図５】
0006619363.tif 000017
【図６】
0006619363.tif 000018
【図７】
0006619363.tif 000019
【図８】
0006619363.tif 000020
【図９】
0006619363.tif 000021
【図１０】
0006619363.tif 000022
【図１１】
0006619363.tif 000023
【図１２】
0006619363.tif 000024
【図１３】
0006619363.tif 000025
【図１４】
0006619363.tif 000026
【図１５】
0006619363.tif 000027
【図１６】
0006619363.tif 000028